(57)【要約】  歯の清掃ツールは、前記歯の清掃ツールの長手方向軸を定めるハンドルを有する。前記ハンドルは、基部および前記基部から前記長手方向軸に垂直な関係で延びる２本のアームを有するフロスホルダと、前記２本のアームの間に延びる少なくとも１本のフロスの糸と、前記ハンドルと一体的な単一部品として形成され、尖った先端を有するピックであって、前記ピックは前記フロスホルダから離間して配置され、前記ハンドルは、前記ピックと前記フロスホルダとの間に位置する、該ピックとを含む。前記歯の清掃ツールは、前記ハンドルとは別個に形成され、前記ハンドルに取り付けられた少なくとも１つの回転可能な歯の処置用ツールをさらに備え、前記少なくとも１つの回転可能な歯の処置用ツールは、格納のための第１の位置と使用のための第２の位置との間で回転可能に前記ハンドルに取り付けられる。【選択図】図１
2020508703.tif 000002
【特許請求の範囲】
【請求項１】
歯の清掃ツールであって、
前記歯の清掃ツールの長手方向軸を定めるハンドルと、
前記ハンドルとは別個に形成され、前記ハンドルに取り付けられた少なくとも１つの回転可能な歯の処置用ツールとを含み、
前記ハンドルは、
基部および記基部から前記長手方向軸に垂直な関係で延びる２本のアームを有するフロスホルダと、
前記２本のアームの間に延びる少なくとも１本のフロスの糸と、
前記ハンドルと一体的な単一部品として形成され、尖った先端を有するピックであって、前記ピックは前記フロスホルダから離間して配置され、前記ハンドルは、前記ピックと前記フロスホルダとの間に位置する、該ピックとを含み、
前記少なくとも１つの回転可能な歯の処置用ツールは、格納のための第１の位置と使用のための第２の位置との間で回転可能に前記ハンドルに取り付けられることを特徴とする歯の清掃ツール。
【請求項２】
請求項１に記載の歯の清掃ツールであって、
前記少なくとも１つの回転可能な歯の処置用ツールが、
前記ハンドルに取り付けられた回転可能なブラシツールであって、ブラシ基部とロッド部とを有し、剛毛要素が前記ロッド部上に配置された、該回転可能なブラシツールと、
前記ハンドルに取り付けられた回転可能なピックツールであって、ピック基部と尖った先端とを含む、該回転可能なピックツールとを含むことを特徴とする歯の清掃ツール。
【請求項３】
請求項２に記載の歯の清掃ツールであって、
前記回転可能なブラシツールおよび前記回転可能なピックツールが、前記ハンドルの互いに反対側の位置に配置されることを特徴とする歯の清掃ツール。
【請求項４】
請求項１に記載の歯の清掃ツールであって、
前記少なくとも１つの回転可能な歯の処置用ツールを、格納のための前記第１の位置と使用のための前記第２の位置の少なくとも一方に固定するための、突起と、突起が係合するキャッチとから構成される突起−キャッチシステムをさらに含むことを特徴とする歯の清掃ツール。
【請求項５】
請求項１に記載の歯の清掃ツールであって、
前記少なくとも１つの回転可能な歯の処置用ツールは、前記ハンドルと前記少なくとも１つの回転可能な歯の処置用ツールとがスナップフィットする関係で前記ハンドルに取り付けられることを特徴とする歯の清掃ツール。
【請求項６】
請求項１に記載の歯の清掃ツールであって、
前記フロスホルダ、前記ハンドル、および前記ピックが、単一部品として形成されることを特徴とする歯の清掃ツール。
【請求項７】
歯の清掃ツールであって、
前記歯の清掃ツールの長手方向軸を定めるハンドルと、
前記ハンドルとは別個に形成され、前記ハンドルに取り付けられた少なくとも１つの摺動可能な歯の処置用ツールとを含み、
前記ハンドルは、
基部および前記基部から前記長手方向軸に垂直な関係で延びる２本のアームを有するフロスホルダと、
前記２本のアームの間に延びる少なくとも１本のフロスの糸と、
前記ハンドルと一体的な単一部品として形成され、尖った先端を有するピックであって、前記ピックは前記フロスホルダから離間して配置され、前記ハンドルは、前記ピックと前記フロスホルダとの間に位置する、該ピックとを含み、
前記少なくとも１つの摺動可能な歯の処置用ツールは、格納のための第１の位置と使用のための第２の位置との間で摺動可能に前記ハンドルに取り付けられることを特徴とする歯の清掃ツール。
【請求項８】
請求項７に記載の歯の清掃ツールであって、
前記少なくとも１つの摺動可能な歯の処置用ツールが、
前記ハンドルに取り付けられた摺動可能なブラシツールであって、ブラシ基部とロッド部とを有し、剛毛要素が前記ロッド部上に配置された、該摺動可能なブラシツールと、
前記ハンドルに取り付けられた摺動可能なピックツールであって、ピック基部と尖った先端とを含む、該摺動可能なピックツールとを含むことを特徴とする歯の清掃ツール。
【請求項９】
請求項８に記載の歯の清掃ツールであって、
前記摺動可能なブラシツールおよび前記摺動可能なピックツールが、前記ハンドルの互いに反対側の位置に配置されることを特徴とする歯の清掃ツール。
【請求項１０】
請求項７に記載の歯の清掃ツールであって、
前記少なくとも１つの摺動可能な歯の処置用ツールは、前記長手方向軸に実質的に平行な平面内で前記ハンドルの側面に沿って前記第１の位置から前記第２の位置までで摺動することを特徴とする歯の清掃ツール。
【請求項１１】
請求項７に記載の歯の清掃ツールであって、
前記少なくとも１つの摺動可能な歯の処置用ツールは、少なくとも１つのリブをさらに備え、
前記ハンドルは、少なくとも１つのリブを受け入れるように寸法決めされた少なくとも１つのチャネルをさらに備え、
前記少なくとも１つのチャネルの第１の端部および第２の端部がそれぞれ、前記少なくとも１つの摺動可能な歯の処置用ツールの格納のための前記第１の位置および使用のための前記第２の位置に対応することを特徴とする歯の清掃ツール。
【請求項１２】
請求項１１に記載の歯の清掃ツールであって、
前記ハンドルは、前記ハンドルの少なくとも１つの側面に配置された少なくとも一対の溝をさらに備え、
前記少なくとも一対の溝は、前記少なくとも１つの摺動可能な歯の処置用ツールと係合するように構成されることを特徴とする歯の清掃ツール。
【請求項１３】
請求項７に記載の歯の清掃ツールであって、
前記フロスホルダ、前記ハンドル、および前記ピックが、単一部品として形成されることを特徴とする歯の清掃ツール。
【請求項１４】
歯の清掃ツールであって、
前記歯の清掃ツールの長手方向軸を定めるハンドルと、
前記ハンドルとは別個に形成され、前記ハンドルに着脱可能に取り付けられた少なくとも１つの着脱可能な歯の処置用ツールとを含み、
前記ハンドルは、
基部および前記基部から前記長手方向軸に垂直な関係で延びる２本のアームを有するフロスホルダと、
前記２本のアームの間に延びる少なくとも１本のフロスの糸と、
前記ハンドルと一体的な単一部品として形成され、尖った先端を有するピックであって、前記ピックは前記フロスホルダから離間して配置され、前記ハンドルは、前記ピックと前記フロスホルダとの間に位置する、該ピックとを含み、
前記少なくとも１つの着脱可能な歯の処置用ツールは、格納のための取り付け位置と使用のための取り外し位置との間で着脱可能に前記ハンドルに取り付けられることを特徴とする歯の清掃ツール。
【請求項１５】
請求項１４に記載の歯の清掃ツールであって、
前記少なくとも１つの着脱可能な歯の処置用ツールが、
前記ハンドルに取り付けられた着脱可能なブラシツールであって、ブラシ基部とロッド部とを有し、剛毛要素が前記ロッド部上に配置された、該着脱可能なブラシツールと、
前記ハンドルに取り付けられた着脱可能なピックツールであって、ピック基部と尖った先端とを含む、該着脱可能なピックツールとを含むことを特徴とする歯の清掃ツール。
【請求項１６】
請求項１５に記載の歯の清掃ツールであって、
前記着脱可能なブラシツールおよび前記着脱可能なピックツールが、前記ハンドルの互いに反対側の位置に配置されることを特徴とする歯の清掃ツール。
【請求項１７】
請求項１４に記載の歯の清掃ツールであって、
前記少なくとも１つの着脱可能な歯の処置用ツールは、前記長手方向軸に実質的に平行な平面内で前記ハンドルに取り付けられることを特徴とする歯の清掃ツール。
【請求項１８】
請求項１４に記載の歯の清掃ツールであって、
前記少なくとも１つの着脱可能な歯の処置用ツールは、前記歯の清掃ツールに一体化された保持用部材において前記ハンドルに取り付けられることを特徴とする歯の清掃ツール。
【請求項１９】
請求項１４に記載の歯の清掃ツールであって、
前記少なくとも１つの着脱可能な歯の処置用ツールは、前記ハンドルに一体化された保持点と接触するような寸法および形状にされ、かつ前記少なくとも１つの着脱可能な歯の処置用ツールに一体化された保持用ポスト部を含むことを特徴とする歯の清掃ツール。
【請求項２０】
請求項１４に記載の歯の清掃ツールであって、
前記フロスホルダ、前記ハンドル、および前記ピックが、単一部品として形成されることを特徴とする歯の清掃ツール。
【発明の詳細な説明】
【技術分野】
【０００１】
本発明の分野は、一般的に歯の清掃ツールに関し、特に少なくとも１つの可動式二次的清掃ツールを備えた歯の清掃ツールに関する。
【背景技術】
【０００２】
歯の清掃ツールは、歯の表面または歯の間の食物残渣および／または堆積物を除去するために使用される。結果として存在する既知の歯の清掃ツールとして、歯の表面を清掃するためのブラシと、隣接する歯の間に溜まった食品残渣（または他の屑片）を除去または掻取するためのフロスおよび／またはピックを含む他の公知の歯の清掃ツールが挙げられる。しかしながら、歯の清掃ツールは、ユーザの口の中に少なくとも部分的に挿入されなければならないので、ユーザによる操作が困難になることが頻繁に起こる。さらに、ユーザは口の後部に位置する歯に到達し清潔にするために、歯の清掃ツールを保持しなければならないが、これは厄介である。したがって、既知の歯の清掃ツールは、口の中または奥に位置する歯の上または歯の間で使用することが困難である。さらに、ユーザは、これらの清掃ツールそれぞれの様々な利点を実現するために、個別の清掃ツール（例えば、ブラシ、フロス、および／またはピック）に切り替えて用いる必要があることが多い。
【０００３】
いくつかの従来の歯の清掃ツールには、歯の清掃ツールを使用することの難しさをしばしば悪化させるフロス、ピックおよび／またはブラシの組み合わせが含まれる。例えば、ユーザは、口の形を保持する、または口に挿入するのが不快な方法で歯の清掃ツールを保持し、操作しなければならない場合がある。さらに、フロス、ピックおよび／またはブラシは、歯の清掃ツールの他の要素の使用を妨害することがある。例えば、ユーザが歯の清掃ツールの他の部分をユーザの口の中に配置することが困難になるように、フロス、ピック、またはブラシが取り付けられていることがある。その結果、一部のユーザは、この不快感を避けるために、歯の一部について清掃をスキップしたり、効果的な清掃を行わないことがある。
【０００４】
したがって、いくつかの清掃用の要素が組み合わせられており、容易で効果的な方法で快適に使用される、改良された歯の清掃ツールが必要とされている。
【発明の概要】
【課題を解決するための手段】
【０００５】
一態様において、歯の清掃ツールは、一般的にツールの長手方向軸を定めるハンドルを有する。前記ハンドルは、一般的に、基部および前記基部から前記長手方向軸に垂直な関係で延びる２本のアームを有するフロスホルダと、前記２本のアームの間に延びる少なくとも１本のフロスの糸と、前記ハンドルと一体的な単一部品として形成され、尖った先端を有するピックとを含む。前記ピックは前記フロスホルダから離間して配置され、前記ハンドルは、前記ピックと前記フロスホルダとの間に位置する。前記歯の清掃ツールは、前記ハンドルとは別個に形成され、前記ハンドルに取り付けられた少なくとも１つの回転可能な歯の処置用ツールをさらに含む。前記少なくとも１つの回転可能な歯の処置用ツールは、格納のための第１の位置と使用のための第２の位置との間で回転可能に前記ハンドルに取り付けられる。
【０００６】
別の態様においては、歯の清掃ツールは、一般的にツールの長手方向軸を定めるハンドルを有する。前記ハンドルは、一般的に、基部および前記基部から前記長手方向軸に垂直な関係で延びる２本のアームを有するフロスホルダと、前記２本のアームの間に延びる少なくとも１本のフロスの糸と、前記ハンドルと一体的な単一部品として形成され、尖った先端を有するピックとを含む。前記ピックは前記フロスホルダから離間して配置され、前記ハンドルは、前記ピックと前記フロスホルダとの間に位置する。前記歯の清掃ツールは、前記ハンドルとは別個に形成され、前記ハンドルに取り付けられた少なくとも１つの摺動可能な歯の処置用ツールをさらに含む。前記少なくとも１つの摺動可能な歯の処置用ツールは、格納のための第１の位置と使用のための第２の位置との間で摺動可能に前記ハンドルに取り付けられる。
【０００７】
さらに別の態様においては、歯の清掃ツールは、一般的にツールの長手方向軸を定めるハンドルを有する。前記ハンドルは、一般的に、基部および前記基部から前記長手方向軸に垂直な関係で延びる２本のアームを有するフロスホルダと、前記２本のアームの間に延びる少なくとも１本のフロスの糸と、前記ハンドルと一体的な単一部品として形成され、尖った先端を有するピックとを含む。前記ピックは前記フロスホルダから離間して配置され、前記ハンドルは、前記ピックと前記フロスホルダとの間に位置する。前記歯の清掃ツールは、前記ハンドルとは別個に形成され、前記ハンドルに取り付けられた少なくとも１つの着脱可能な歯の処置用ツールをさらに含む。前記少なくとも１つの着脱可能な歯の処置用ツールは、格納のための取り付け位置と使用のための取り外し位置との間で着脱可能に前記ハンドルに取り付けられる。
【図面の簡単な説明】
【０００８】
【図１】図１は、回転可能なピックツールおよび回転可能なブラシツールを含む歯の清掃ツールの好適な一実施形態の左側斜視図であり、ここでは回転可能なピックツールおよび回転可能なブラシツールの両方が格納のための第１の位置にある。
【図２】図２は、回転可能なピックツールおよび回転可能なブラシツールを含む歯の清掃ツールの好適な一実施形態の図１と右側斜視図であり、ここでは回転可能なピックツールおよび回転可能なブラシツールの両方が格納のための第１の位置にある。
【図３】図３は、歯の清掃ツールの左側面図であり、格納のための第１の位置にある回転可能なブラシツールを示す。
【図４】図４は、歯の清掃ツールの右側面図であり、格納のための第１の位置にある回転可能なピックツールを示す。
【図５】図５は、歯の清掃ツールの底面図である。
【図６】図６は、歯の清掃ツールの背面図である。
【図７】図７は、歯の清掃ツールの正面図である。
【図８】図８は、歯の清掃ツールの左側面図であり、使用のための第２の位置にある回転可能なピックツールを示す。
【図９】図９は、歯の清掃ツールの右側面図であり、使用のための第２の位置にある回転可能なピックツールを示す。
【図１０】図１０は、歯の清掃ツールの右側斜視図であり、Ａはその一部の拡大断面図であり、回転可能なピックツールが使用のための第１の位置にあり、第１の位置の突起とそれが係合するキャッチとの間の接触した状態を示す。
【図１１】図１１は、歯の清掃ツールの右側斜視図であり、Ａはその一部の拡大断面図であり、回転可能なピックツールが格納のための第２の位置にあり、第２の位置の突起とそれが係合するキャッチとの間の接触した状態を示す。
【図１２】図１２は、歯の清掃ツールの中心点および長手方向軸を示す、歯の清掃ツールの右側面図である。
【図１３】図１３は、歯の清掃ツールの左側面図であり、使用のための第２の位置にある回転可能なピックツールと、格納のための第１の位置にある回転可能なブラシツールとを示す。
【図１４】図１４は、歯科用清掃ツールの底面図であり、使用のための第２の位置にある回転可能なピックツールと、格納のための第１の位置にある回転可能なブラシツールとを示す。
【図１５】図１５は、歯の清掃ツールの右側面図であり、格納のための第１の位置にある回転可能なピックツールと、使用のための第２の位置にある回転可能なブラシツールとを示す。
【図１６】図１６は、歯の清掃ツールの底面図であり、格納のための第１の位置にある回転可能なピックツールと、使用のための第２の位置にある回転可能なブラシツールとを示す。
【図１７】図１７は、歯の清掃ツールの右側面図であり、回転可能なピックツールの回転角度を示す。
【図１８】図１８は、歯の清掃ツールの左側面図であり、回転可能なブラシツールの回転角度を示す。
【図１９】図１９は、歯の清掃ツールの分解斜視図であり、歯の清掃ツールから離間した位置にある回転可能なピックツールおよび回転可能なブラシツールを示す。
【図２０】図２０は、歯の清掃ツールの左側面図であり、回転可能なピックツールと回転可能なブラシツールがない状態を示す。
【図２１】図２１は、歯の清掃ツールの右側面図であり、回転可能なピックツールと回転可能なブラシツールがない状態を示す。
【図２２】図２２は、歯の清掃ツールの回転可能なピックツールの左側面図である。
【図２３】図２３、歯の清掃ツールの回転可能なピックツールの上面図である。
【図２４】図２４は、歯の清掃ツールの回転可能なピックツールの斜視図である。
【図２５】図２５は、歯の清掃ツールの回転可能なピックツールの右側面図である。
【図２６】図２６は、歯の清掃ツールの回転可能なピックツールの左側面図である。
【図２７】図２７は、歯の清掃ツールの回転可能なブラシツールの上面図である。
【図２８】図２８は、歯の清掃ツールの回転可能なブラシツールの右側面図である。
【図２９】図２９は、歯の清掃ツールの回転可能なブラシツールの斜視図である。
【図３０】図３０は、歯の清掃ツールとともに使用するのに適した回転可能な３列ブラシツールの左側面図である。
【図３１】図３１は、歯の清掃ツールの回転可能な３列ブラシツールの上面図である。
【図３２】図３２は、歯の清掃ツールの回転可能な３列ブラシツールの右側面図である。
【図３３】図３３は、歯の清掃ツールの回転可能な３列ブラシツールの左側斜視図である。
【図３４】図３４は、摺動可能なピックツールおよび摺動可能なブラシツールを含む歯の清掃ツールの好適な一実施形態の左側斜視図であり、ここでは摺動可能なピックツールおよび摺動可能なブラシツールの両方が格納のための第１の位置にある。
【図３５】図３５は、摺動可能なピックツールおよび摺動可能なブラシツールを含む歯の清掃ツールの好適な一実施形態の右側斜視図であり、ここでは摺動可能なピックツールおよび摺動可能なブラシツールの両方が格納のための第１の位置にある。
【図３６】図３６は、歯の清掃ツールの左側面図であり、格納のための第１の位置にある摺動可能なブラシツールを示す。
【図３７】図３７は、歯の清掃ツールの右側面図であり、格納のための第１の位置にある摺動可能なピックツールを示す。
【図３８】図３８は、歯の清掃ツールの底面図である。
【図３９】図３９は、歯の清掃ツールの背面図である。
【図４０】図４０は、歯の清掃ツールの正面図である。
【図４１】図４１は、歯の清掃ツールの左側面図であり、使用のための第２の位置にある摺動可能なピックツールを示す。
【図４２】図４２は、歯の清掃ツールの右側斜視図であり、使用のための第２の位置にある摺動可能なブラシツールを示す。
【図４３】図４３は、歯の清掃ツールの右側面図であり、摺動可能なピックツールおよび摺動可能なブラシツールのそれぞれが、格納のための第１の位置にあるところを示す。
【図４４】図４４は、歯の清掃ツールの左側面図であり、摺動可能なピックツールが使用のための第２の位置にあり、摺動可能なブラシツールが、格納のための第１の位置にあるところを示す。
【図４５】図４５は、歯の清掃ツールの右側面図であり、摺動可能なピックツールが使用のための第２の位置にあり、摺動可能なブラシツールが、格納のための第１の位置にあるところを示す。
【図４６】図４６は、歯の清掃ツールの上側断面図であり、摺動可能なピックツールが使用のための第２の位置にあり、摺動可能なブラシツールが、格納のための第１の位置にあるところを示す。
【図４７】図４７は、歯の清掃ツールの底面図であり、摺動可能なピックツールが使用のための第２の位置にあり、摺動可能なブラシツールが、格納のための第１の位置にあるところを示す。
【図４８】図４８は、歯の清掃ツールの右側面図であり、摺動可能なピックツールが格納のための第１の位置にあり、摺動可能なブラシツールが、使用のための第２の位置にあるところを示す。
【図４９】図４９は、歯の清掃ツールの左側面図であり、摺動可能なピックツールが格納のための第１の位置にあり、摺動可能なブラシツールが、使用のための第２の位置にあるところを示す。
【図５０】図５０は、歯の清掃ツールの分解斜視図であり、歯の清掃ツールから離間した位置にある摺動可能なピックツールおよび摺動可能なブラシツールを示している。
【図５１】図５１は、歯の清掃ツールの左側面図であり、摺動可能なピックツールおよび摺動可能なブラシツールがない状態を示す。
【図５２】図５２は、歯の清掃ツールの右側面図であり、摺動可能なピックツールと摺動可能なブラシツールがない状態を示す。
【図５３】図５３は、歯の清掃ツールの摺動可能なピックツールの左側面図である。
【図５４】図５４は、歯の清掃ツールの摺動可能なピックツールの上面図である。
【図５５】図５５は、歯の清掃ツールの摺動可能なピックツールの右側面図である。
【図５６】図５６は、歯の清掃ツールの摺動可能なピックツールの斜視図である。
【図５７】図５７は、歯の清掃ツールの摺動可能なブラシツールの左側面図である。
【図５８】図５８は、歯の清掃ツールの摺動可能なブラシツールの上面図である。
【図５９】図５９は、歯の清掃ツールの摺動可能なブラシツールの右側面図である。
【図６０】図６０は、歯の清掃ツールの摺動可能なブラシツールの斜視図である。
【図６１】図６１は、歯の清掃ツールとともに使用するのに適した摺動可能な３列ブラシツールの左側面図である。
【図６２】図６２は、歯の清掃ツールの摺動可能な３列ブラシツールの上面図である。
【図６３】図６３は、歯の清掃ツールの摺動可能な３列ブラシツールの右側面図である。
【図６４】図６４は、歯の清掃ツールの摺動可能な３列ブラシツールの斜視図である。
【図６５】図６５は、着脱可能なピックツールおよび着脱可能なブラシツールを含む歯の清掃ツールの好適な一実施形態の左側斜視図であり、ここでは着脱可能なピックツールおよび着脱可能なブラシツールの両方が格納のための第１の位置にある。
【図６６】図６６は、着脱可能なピックツールおよび着脱可能なブラシツールを含む歯の清掃ツールの好適な一実施形態の右側斜視図であり、ここでは着脱可能なピックツールおよび着脱可能なブラシツールの両方が格納のための第１の位置にある。
【図６７】図６７は、歯の清掃ツールの左側面図であり、格納のための第１の位置にある着脱可能なブラシツールを示す。
【図６８】図６８は、歯の清掃ツールの右側面図であり、格納のための第１の位置にある着脱可能なピックツールを示す。
【図６９】図６９は、歯の清掃ツールの底面図である。
【図７０Ａ】図７０Ａは、歯の清掃ツールの上側断面図であり、着脱可能なピックツールおよび着脱可能なブラシツールが、格納のための第１の位置にあるところを示す。
【図７０Ｂ】図７０Ｂは、歯の清掃ツールの正面断面図であり、着脱可能なピックツールおよび着脱可能なブラシツールが、格納のための第１の位置にあるところを示す。
【図７１】図７１は、歯の清掃ツールの分解斜視図であり、歯の清掃ツールから離間した位置にある着脱可能なピックツールおよび着脱可能なブラシツールを示している。
【図７２】図７２は、歯の清掃ツールの右側分解斜視図であり、Ａはその一部の拡大断面図であり、歯の清掃ツールから離間した位置にある着脱可能なピックツールおよび着脱可能なブラシツールを示している。
【図７３】図７３は、歯の清掃ツールの左側面図であり、着脱可能なピックツールおよび着脱可能なブラシツールがない状態を示す。
【図７４】図７４は、歯の清掃ツールの右側面図であり、着脱可能なピックツールおよび着脱可能なブラシツールがない状態を示す。
【図７５】図７５は、歯の清掃ツールの着脱可能なピックツールの左側面図である。
【図７６】図７６は、歯の清掃ツールの着脱可能なピックツールの上面図である。
【図７７】図７７は、歯の清掃ツールの着脱可能なピックツールの斜視図である。
【図７８】図７８は、歯の清掃ツールの着脱可能なブラシツールの側面図である。
【図７９】図７９は、歯の清掃ツールの着脱可能なブラシツールの上面図である。
【図８０】図８０は、歯の清掃ツールの着脱可能なブラシツールの斜視図である。
【図８１】図８１は、歯の清掃ツールとともに使用するのに適した着脱可能な３列ブラシツールの側面図である。
【図８２】図８２は、歯の清掃ツールの着脱可能な３列ブラシツールの上面図である。
【図８３】図８３は、歯の清掃ツールの着脱可能な３列ブラシツールの斜視図である。
【発明を実施するための形態】
【０００９】
図１〜図２９は、本開示の歯の清掃ツールの１つの好適な実施形態を示しており、全体を符合１００で示している。図示されているように、この歯の清掃ツール１００は、ハンドル１０２、フロスホルダ１０４、一体形成されたピック１０６（楊子部）、回転可能なピックツール１０８および回転可能なブラシツール１１０を含む。図３０〜図３３は、歯の清掃ツール１００に取り付けられ得る回転可能なツールの別の適切な実施形態、すなわち回転可能な３列のブラシツール１０９を示す。ハンドル１０２、フロスホルダ１０４、一体形成されたピック１０６、回転可能なピックツール１０８、回転可能なブラシツール１１０、および回転可能な３列ブラシツール１０９は、それぞれ、添付図面においてそれぞれの参照番号によって全体が示されている。本開示のいくつかの態様から逸脱しないいくつかの他の一部の好適な実施形態では、歯の清掃ツール１００は、フロスホルダ１０４、ピック１０６、回転可能なピックツール１０８、回転可能なブラシツール１１０、および回転可能な３列ブラシツール１０９の任意の組み合せを含むものとし得ることは理解されよう。さらに、歯の清掃ツール１００が、本開示のいくつかの態様から逸脱することなく、単一のツール（すなわち、回転可能なピックツール１０８、回転可能なブラシツール１１０、および回転可能な３列ブラシツール１０９のうちの１つのみ）を有し得ることが想定されている。
【００１０】
図１〜図９に示すように、ハンドル１０２は、グリップ部１１４と、フロス端部１１６と、ピック端部１１８とを含む。図示の実施形態では、ハンドル１０２は、歯の清掃ツール１００の長手方向軸１２４（ハンドル１０２を通して延びる）に沿って、フロス端部１１６とピック端部１１８との間で測定された長さ１２０を有する。好適な実施形態では、ハンドル１０２の長さ１２０は、歯の清掃ツール１００が本明細書で説明されるように機能することを可能にする任意の測定値であり得る。好ましくは、長さ１２０は、約４３ｍｍ〜約５２ｍｍの範囲内の長さである。図示された実施形態では、例えば、ハンドル１０２の長さ１２０は約４８ｍｍである。
【００１１】
図示した実施形態では、図１〜図９に最もよく示されているように、ハンドル１０２は、前壁１２２、その反対側の後壁１２６、第１の側壁１２８、および第１の側壁の反対側の第２の側壁１３０を含む。図１〜図９に示すように、側壁１２８、１３０は、前壁１２２および後壁１２６に垂直な方向に延び、これらを接続する。幅１３２（図３および図４）が前壁１２２と後壁１２６との間で測定され、厚さ１３４（図５）は２つの側壁１２８、１３０の間で測定される。好適には、ハンドル１０２の幅１３２は、約３．８ｍｍ〜約５．８ｍｍの範囲内の幅である。図示の実施形態では、例えば、幅１３２は約４．８ｍｍである。好適には、ハンドル１０２の厚さ１３４は、約１．５ｍｍ〜約２．８ｍｍの範囲内の厚さである。図示の実施形態では、例えば、厚さ１３４は約１．９ｍｍである。
【００１２】
ハンドル１０２の遠位端部分を画定し、より具体的にはハンドルのピック端部１１８を画定するピック１０６は、ユーザの歯の間からの食品残渣などの屑片の除去および／または掻取を容易にする。ピック１０６は、隣接する歯の間の屑片の除去を容易にする任意の適切な形状を有し得ることが想定されている。図示の実施形態では、ハンドル１０２のピック端部１１８は、ピック１０６を画定するように尖らせてある。具体的には、少なくとも第１の側壁１２８および第２の側壁１３０の幅は、ピック端部１１８側の一点に向かって先細になっている。図示した実施形態では、図１〜図９に最もよく示されているように、第１の側壁１２８および第２の側壁１３０の両方が、ピック端部１１８に向かって先細になっている。その結果、前壁１２２および後壁１２６は、ピック端部１１８で合流する。側壁１２８、１３０のうちの１つのみが先細であってもよいことは理解されよう。例えば、１つの別の好適な実施形態では、第２の側壁１３０のみが先細となることができ、このような実施形態では第１の側壁１２８は概ね平坦である。さらに、図示された実施形態では、ピック１０６は、フロスホルダ１０４の両アームが湾曲しているのと同じ方向に湾曲する。ピック１０６は、任意の他の適切な方向に湾曲してもよく、または直線状であってもよい。
【００１３】
図示された実施形態では、ピック１０６は、ハンドル１０２と一体的に単一部品として形成される。換言すると、ピック１０６はハンドル１０２の一体的な延長部である。しかし、ピック１０６を、別個の構成要素として形成し、歯の清掃ツール１００の組み立て中にハンドル１０２に取り付けてもよいことは理解されよう。本発明のいくつかの態様から逸脱することなく、他の好適な実施形態においては、ピック１０６を歯の清掃ツール１００に取り外し可能に取り付けられ得る。
【００１４】
図示の実施形態では、フロスホルダ１０４は、ハンドル１０２のフロス端部１１６から延びている。フロスホルダ１０４は、円弧状（または広義には非線形）の基部１３６と、互いに離間した形で基部から延びる２つのアーム（内側アーム１３８および外側アーム１４０）を含む。図３および図４に見られるように、内側アーム１３８および外側アーム１４０は、互いに実質的に平行である。図示された実施形態におけるフロスホルダ１０４は、概ねＵ字形である。しかし、他の好適な実施形態では、フロスホルダ１０４は、任意の適切な形状を有し得ることは理解されよう。
【００１５】
図示された実施形態では、フロスホルダ１０４は、ハンドル１０２と一体的に形成される。換言すれば、フロスホルダ１０４は、ハンドル１０２の一体的な延長部である。しかし、歯の清掃ツール１００の組み立て中に、フロスホルダ１０４を別個の構成要素として形成し、ハンドル１０２に取り付けることもできることは理解されよう。
【００１６】
さらに図３および図４を参照すると、歯の清掃ツール１００は、ハンドル１０２とフロスホルダ１０４との間に延びる湾曲部分１４２を含む。その結果、例示の実施形態では、フロスホルダ１０４の基部１３６の大部分が、歯の清掃ツール１００の長手方向軸１２０の下に配置されている。湾曲部分１４２により、ユーザがハンドル１０２を把持し、フロスホルダ１０４をユーザの口に入れることが容易になる。フロスホルダ１０４は、本明細書に記載のような機能を発揮できるハンドル１０２に対する位置関係で任意の形に方向付けられ得ることは理解されよう。例えば、一部の好適な実施形態では、湾曲部分１４２を設けないことができる。このような実施形態では、フロスホルダ１０４の基部１３６は、歯の清掃ツール１００の長手方向軸１２４と整列される。さらに、図示された実施形態では、隆起部１１２が歯の清掃ツール１００の周囲に延在し、これは歯の清掃ツール１００にさらなる強度を与え、ユーザが歯の清掃ツール１００を掴むことを容易にする。
【００１７】
基部１３６に対して片持ちにされた内側アーム１３８および外側アーム１４０の各々は、近位部分１４４および遠位部分１４６を含む。近位部分１４４は基部１３６に接続され、遠位部分１４６は基部１３６から離隔される。少なくとも１本のフロスの糸１４８が、内側アーム１３８および外側アーム１４０それぞれの遠位部分１４６の間に延びる。例えば、図示の実施形態では、２本のフロスの糸１４８が、内側アーム１３８と外側アーム１４０との間に延在する。好適には、複数のフロスの糸１４８が互いに実質的に平行である。フロスホルダ１０４は、本発明のいくつかの態様から逸脱することなく、任意の適切な構成を有し得ることは理解されよう。例えば、フロスの糸１４８は、ユーザがフロスの糸１４８を手で除去および／または交換できるように、内側アーム１３８および外側アーム１４０から選択的に取り外し可能としてもよい。
【００１８】
好適な一実施形態では、回転可能なピックツール１０８および回転可能なブラシツール１１０の少なくとも１つは、歯の清掃ツール１００（図１〜図１８）のハンドル１０２に回転可能に取り付けられる。図示した実施形態では、回転可能なピックツール１０８と回転可能なブラシツール１１０の両方が、歯の清掃ツール１００のハンドル１０２に回転可能に取り付けられている。別の好適な一実施形態では、回転可能な３列ブラシツール１０９（図３０〜図３３）が、回転可能なピックツール１０８および回転可能なブラシツール１１０の一方または両方の代わりに、歯の清掃ツール１００のハンドル１０２に回転可能に取り付けられ得る。好適には、回転可能なピックツール１０８、回転可能な３列ブラシツール１０９、および回転可能なブラシツール１１０は、ツールの長手方向軸１２４に実質的に平行な平面内で、それぞれ第１の側壁１２８および第２の側壁１３０に沿って延びる。図示の実施形態では、回転可能なピックツール１０８は、第２の側壁１３０に沿って延び、回転可能なブラシツール１１０は、第１の側壁１２８に沿って延びている。別の実施形態では、回転可能な３列ブラシツール１０９が、第１の側壁１２８に沿って延びる。しかしながら、他の好適な実施形態では、本発明の一部の態様の範囲から逸脱することなく、回転可能なピックツール１０８、回転可能な３列ブラシツール１０９、および回転可能なブラシツール１１０が、歯の清掃ツール１００の任意の部分に沿って延びることも可能であることは理解されよう。
【００１９】
図１〜図１８を参照すると、回転可能なピックツール１０８は、尖った先端をなす遠位端１５６とピック基部１５８とを含む。より一般的には、回転可能なピックツール１０８は、ハンドル１０２に回転可能に取り付けられ、ハンドル１０２に沿って延びる。より具体的には、回転可能なピックツール１０８は、第２の側壁１３０に回転可能に取り付けられ、第２の側壁１３０に沿って延びる。図示の実施形態では、回転可能なピックツール１０８は、完全に回転した位置にあるときに、フロスホルダ１０４の横断方向の範囲を超えて延び出す。すなわち、回転可能なピックツール１０８は、長手方向軸１２４に沿って横断方向に延び、フロスホルダ１０４の基部１３６より長く延び出す。図５に見られるように、図示の回転可能なピックツール１０８は、その全体が第２の側壁１３０に沿って配置されている。
【００２０】
図１〜図１８および図２６〜図２９を参照すると、回転可能なブラシツール１１０が、ロッド１５０と、ロッド１５０から延びる複数の剛毛要素１５２とを含む。より一般的には、回転可能なブラシツール１１０は、ハンドル１０２に回転可能に取り付けられ、ハンドル１０２に沿って延びる。より詳細には、回転可能なブラシツール１１０は、第１の側壁１２８に回転可能に取り付けられ、第１の側壁１２８に沿って延びる。図示された実施形態では、回転可能なブラシツール１１０は、完全に回転した位置にあるとき、フロスホルダ１０４の横断方向の範囲を超えて延び出す。すなわち、回転可能なブラシツール１１０は、長手方向軸１２４に沿って横断方向に、フロスホルダ１０４の基部１３６より長く延び出す。図５に示すように、図示された回転可能なブラシツール１１０は、その全体が第１の側壁１２８に沿って配置されている。
【００２１】
図３０〜図３３を参照すると、回転可能な３列ブラシツール１０９は、ロッド１１３と、ロッド１１３から延びる複数の剛毛要素１３３とを含む。別の好適な実施形態では、より一般的には、回転可能な３列ブラシツール１０９は、ハンドル１０２に回転可能に取り付けられ、ハンドル１０２に沿って延びる。より具体的には、回転可能な３列ブラシツール１０９は、第１の側壁１２８に対してそれに沿って回転可能に取り付けられ得る。このような実施形態では、回転可能な３列ブラシツール１０９は、完全に回転した位置にあるときに、フロスホルダ１０４の横断方向の範囲を超えて延び出す。すなわち、回転可能な３列ブラシツール１０９は、長手方向軸１２４に沿って、フロスホルダ１０４の基部１３６よりも長く横断方向に延び出す。図５の場合と同様に、回転可能な３列ブラシツール１０９は、その全体が第１の側壁１２８に沿って配置されている。
【００２２】
回転可能なピックツール１０８は、第１の位置１６４（例えば、格納位置）と第２の位置１６６（例えば、使用位置）との間で選択的に回転可能である。図４に示すように、回転可能なピックツール１０８が第１の位置１６４にあるとき、回転可能なピックツール１０８は、長手方向軸１２４にほぼ平行であり、回転可能なピックツール先端の尖った先端をなす遠位端１５６は、ピック端部１１８に向かって配置される。図１７に示すように、回転可能なピックツール１０８は、複数の異なる位置に回転可能であり、各位置は、長手方向軸１２４に対してある角度１７０をなす。例示的な実施形態では、図１７に見られるように、角度１７０は、回転可能なピックツール１０８がハンドル１０２からどれだけ回転されているかに応じて変化する。より具体的には、１つの好適な実施形態では、角度１７０は、約０度から約１８０度まで可変である。しかしながら、本開示の範囲から逸脱することなく、角度１７０が、いくつかの実施形態においては、１８０度を超える角度をなしてもよいことは理解されよう。さらに、回転可能なピックツール１０８は、本開示のいくつかの態様から逸脱することなく、歯の清掃ツール１００の任意の部分に対して角度をなしていてもよいことは理解されよう。
【００２３】
回転可能なブラシツール１１０は、第１の位置１６０（例えば、格納位置）と第２の位置１６２（例えば、使用位置）との間で選択的に回転可能である。図３に示すように、回転可能なブラシツール１１０が第１の位置１６０にあるとき、回転可能なブラシツール１１０は、概ね長手方向軸１２４に平行であり、回転可能なブラシツールの遠位端１８０は、ピック端部１１８に向かうように配置される。図１８に示すように、回転可能なブラシツール１１０は、複数の異なる位置に回転可能であり、各位置は、長手方向軸１２４に対してある角度１６８をなす。例示的な実施形態では、図１８に示すように、角度１６８は、回転可能なブラシツール１１０がハンドル１０２からどの程度離れるまで回転するかに応じて変化し得る。より具体的には、１つの好適な実施形態では、角度１６８は約０度から約１８０度まで変化する。しかし、いくつかの実施形態では、本開示の範囲から逸脱することなく、角度１６８が１８０度を超える角度をなしてもよいことは理解されよう。さらに、回転可能なブラシツール１１０は、本開示のいくつかの態様から逸脱することなく、歯の清掃ツール１００の任意の部分に対して角度をなしていてもよいことは理解されよう。
【００２４】
回転可能な３列ブラシツール１０９も、第１の位置１６０（例えば、格納位置）と第２の位置１６２（例えば、使用位置）との間で選択的に回転可能であり得る。回転可能な３列ブラシツール１０９が第１の位置１６０にあるとき、回転可能な３列ブラシツール１０９は、長手方向軸１２４に概ね平行であり、回転可能な３列ブラシ基部遠位端１３５は、ピック端部１１８に向かって配置される。回転可能な３列ブラシツール１０９は、別の好適な実施形態において、複数の異なる位置に回転可能であり、各位置は、長手方向軸１２４に対してある角度１６８をなす。角度１６８は、回転可能な３列ブラシツール１０９がハンドル１０２からどの程度離れるまで回転するかに応じて変化し得る。より具体的には、１つの好適な実施形態では、角度１６８は約０度から約１８０度まで変化する。しかし、いくつかの実施形態では、本開示の範囲から逸脱することなく、角度１６８が１８０度を超える角度をなしてもよいことは理解されよう。さらに、回転可能な３列ブラシツール１０９は、本開示のいくつかの態様から逸脱することなく、歯の清掃ツール１００の任意の部分に対して角度をなしていてもよいことは理解されよう。
【００２５】
回転可能なピックツール１０８、回転可能な３列ブラシツール１０９、および回転可能なブラシツール１１０は、ハンドル１０２の任意の部分から延び出すことができる。図示の実施形態では、回転可能なブラシツール１１０は、ハンドル１０２の第１の側壁１２８に沿って長手方向軸１２４に概ね平行な平面内に延び出している。別の好適な実施形態では、回転可能な３列ブラシツール１０９は、ハンドル１０２の第１の側壁１２８に沿って長手方向軸１２４に概ね平行な平面内に延び出す。さらに、図示された実施形態では、回転可能なピックツール１０８は、ハンドル１０２の第２の側壁１３０に沿って長手方向軸１２４に概ね平行な平面内に延び出している。好適な実施形態では、回転可能なピックツール１０８、回転可能な３列ブラシツール１０９、および回転可能なブラシツール１１０は、本開示のいくつかの態様から逸脱することなく、任意の方法で方向付けられ得る。
【００２６】
回転可能なピックツール１０８が使用のための第２の位置１６６（本実施形態では約１８０°の角度１７０に対応）に選択的に回転され、後に説明するように回転可能なピックツール１０８の第２の位置キャッチ１５９が第２の側面の第２の位置突起１９６に係合すると、ユーザは、歯を清掃するために回転可能なピックツール１０８を快適に使用することができる。具体的には、ユーザは、ハンドル１０２を容易に保持し、口に手を入れる困難な作業または口の中に歯の清掃ツール１００を配置する困難な作業なしで、回転可能なピックツール１０８を歯の間に配置することができる。さらに、回転可能なピックツール１０８によって、歯の清掃ツール１００をユーザの口中の入れるのが困難な場所（すなわち、ユーザの口の奥）に到達させることが容易になる。さらに、歯の清掃ツール１００は、回転可能なピックツール１０８が、フロスホルダ１０４によって妨げられることなく様々な位置を取ることができるように、またはその逆も可能となるように構成される。
【００２７】
さらに、回転可能なブラシツール１１０が第２の位置１６２（この実施形態では約１８０度の角度１６８に対応）に選択的に回転され、回転可能なブラシツール１１０の第２の位置キャッチ１４７が第２の位置突起１９４に係合すると、ユーザは、歯を清掃するために回転可能なブラシツール１１０を快適に使用することができる。特に、ユーザは、ハンドル１０２を容易に保持し、口に手を入れる困難な作業または口の中に歯の清掃ツール１００を配置する困難な作業なしで、歯の様々な表面に対して回転可能なブラシツール１１０を配置することができる。さらに、回転可能なブラシツール１１０によって、歯の清掃ツール１００をユーザの口中の入れるのが困難な場所（すなわち、ユーザの口の奥）に到達させることが可能となる。さらに、歯の清掃ツール１００は、回転可能なブラシツール１１０が、フロスホルダ１０４によって妨げられることなく様々な位置を取ることができるように、またはその逆も可能となるように構成される。
【００２８】
他の実施形態では、回転可能な３列ブラシツール１０９が第２の位置１６２（この実施形態では約１８０度の角度１６８に対応）に選択的に回転され、回転可能な３列ブラシツール１０９の第２の位置キャッチ１２７が第２の位置突起１９４に係合すると、ユーザは、歯を清掃するために回転可能な３列ブラシツール１０９を快適に使用することができる。特に、ユーザは、ハンドル１０２を容易に保持し、口に手を入れる困難な作業または口の中に歯の清掃ツール１００を配置する困難な作業なしで、歯の様々な表面に対して回転可能な３列ブラシツール１０９を配置することができる。さらに、回転可能な３列ブラシツール１０９によって、歯の清掃ツール１００をユーザの口中の入れるのが困難な場所（すなわち、ユーザの口の奥）に到達させることが可能となる。さらに、歯の清掃ツール１００は、回転可能な３列ブラシツール１０９が、フロスホルダ１０４によって妨げられることなく様々な位置を取ることができるように、またはその逆も可能となるように構成される。
【００２９】
図２６〜図２９に最もよく示されているように、回転可能なブラシツール１１０のロッド１５０は、遠位端１８０を有し、かつブラシ基部の遠位端１４１との交差部まで延在している。長さ１５１は、遠位端１８０とブラシ基部の遠位端１４１との間で測定される。好適には、長さ１５１は、約１０ｍｍ〜約２０ｍｍの範囲内の長さである。図示した実施形態では、例えば、長さ１５１は約１５ｍｍである。好適には、ロッド１５０は、ブラシ基部の遠位端１４１から遠位端１８０まで延びる側壁１７７で形成された円筒形状のものである。図示された実施形態では、側壁１７７は、ブラシ基部の遠位端１４１から遠位端１８０まで延びる先細でない円筒形状のものである。
【００３０】
図２６〜図２９を参照すると、ユーザの歯を清掃するための剛毛要素１５２がロッド１５０から延びている。長さ１７３は、剛毛要素１５２の遠位端１８０および端部から測定される。剛毛要素１５２は、任意の適切な方法で配置することができる。図示された実施形態では、剛毛要素１５２は、ロッド１５０の長さに沿って間隔をおき、かつロッド１５０の周方向に間隔をおいて配置された複数の剛毛要素群１９２をなすように配置されている。他の好適な実施形態では、剛毛要素１５２は、間隔をおいた剛毛要素群１９２をなすように配置される代わりに、ロッド１５０の長さ方向および／または周方向に沿って連続的であってもよい。さらに、好適な実施形態では、剛毛要素１５２は、ロッド１５０の一部分のみから、例えばロッド１５０の側部のみに沿って、または遠位端１８０のみで延び出すことができる。図示の実施形態では、剛毛要素群１９２は、ロッド１５０の周方向に間隔をおき、かつロッド１５０の長さ１５１の方向に沿って延びる複数の列をなすように配置されている。剛毛要素１５２は、任意の適切な方法でグループ化することができ、あるいはロッド１５０上にランダムに配置できることは理解されよう。
【００３１】
別の実施形態では、図３０〜図３３に最もよく示されているように、回転可能な３列ブラシツール１０９のロッド１１３は、３列ブラシ基部遠位端１３５を有し、ロッド基部遠位端１３１との交差部まで延在している。長さ１１７は、遠位端１８０とロッド基部遠位端１３１との間で測定される。好適には、長さ１１７は、約１０ｍｍ〜約２０ｍｍの範囲内の長さである。例示された実施形態では、例えば、長さ１１７は約１５ｍｍである。好適には、ロッド１１３は、ロッド基部遠位端１３１から３列ブラシ基部遠位端１３５まで延びる側壁１４３で形成された円錐形状のものである。図示の実施形態では、側壁１４３は、ロッド基部遠位端１３１から３列ブラシ基部遠位端１３５まで延びる先細の円錐形状のものである。
【００３２】
図３０〜図３３を参照すると、ユーザの歯を清掃するための剛毛要素１３３がロッド１１３から延びている。長さ１２１は、３列ブラシ基部遠位端１３５から剛毛要素１３３の側の端部までの長さとして測定される。剛毛要素１３３は、任意の適切な方法で配置することができる。図示された実施形態では、剛毛要素１３３は、ロッド１１３の周方向に互いに等間隔であり、ロッド１１３の長さ方向に沿って剛毛要素１３３が互いに離間した連続した３列１５３をなすように配置されている。他の適切な実施形態では、剛毛要素１３３は、間隔をおいた剛毛要素の３列１５３をなすように配置される代わりに、ロッド１１３の長さ方向および／または周方向に沿って連続的であってもよい。さらに、好適な実施形態では、剛毛要素１３３は、ロッド１１３の一部分のみから、例えばロッド１１３の側部のみに沿って、または３列ブラシ基部遠位端１３５のみで延び出すことができる。他の好適な実施形態では、剛毛要素１３３は、ロッド１１３と一体的に形成されてもよい。図示された実施形態では、３列１５３は、ロッド１１３の周方向に間隔をおいてロッド１１３の長さ１２１の方向に沿って延びる３列をなすように配置されている。剛毛要素１３３は、任意の適切な方法でグループ化することができ、あるいはロッド１１３上にランダムに配置できることは理解されよう。
【００３３】
図２２〜図２５に最もよく示されているように、回転可能なピックツール１０８は、近位端１８４と尖った先端をなす遠位端１５６とを有する。長さ１７４は、遠位端１５６と近位端１８４との間で測定される。好適には、長さ１７４は、約２７ｍｍ〜約５５ｍｍの範囲内の長さである。図示の実施形態では、例えば、長さ１７４は約４０ｍｍである。好適には、回転可能なピックツール１０８は、近位端１８４からピック基部遠位端１７９に延びるピック基部長さ１７５を有するピック基部１５８を有する。ピック１６９は、ピック基部遠位端１７９から遠位端１５６まで延び、長さ１７１および側壁１８２を有する。図示された実施形態では、側壁１８２は、ピック基部１５８から遠位端１５６まで延びるにつれて先細になっている。側壁１８２は、第１の位置キャッチ１５７および第２の位置キャッチ１５９を含む。第１の位置キャッチ１５７は、歯の清掃ツール１００の第２の側の第１の位置突起１９１に接触する。第２の位置キャッチ１５９は、歯の清掃ツール１００の第２の側の第２の位置突起１９６に接触する。遠位端１５６は、遠位端１８６を清掃の目的で狭い空間に配置するのを容易にする。開口１９０は、ピック基部１５８を貫通して延び、歯の清掃ツール１００の第２の側の取り付け点１９９とスナップフィットする関係で係合するのに十分な直径１８９を有する。開口１９０と取り付け点１９９とがスナップフィットする関係にあるので、回転可能なピックツール１０８を手で第１の位置１６４と第２の位置１６６との間で回転させることが容易になる。開口１９０と取り付け点１９９とがスナップフィットする関係にあるので、第１の位置１６４と第２の位置１６６の両方において、回転可能なピックツール１０８を第２の側壁１３０に沿って保持することがさらに容易になる。開口１９０は、本開示のいくつかの態様から逸脱することなく、任意の適切な形状およびサイズを有し得ることは理解されよう。回転可能なピックツール１０８は、本開示の少なくともいくつかの側面から逸脱することなく、回転可能なピックツール１０８を第１の位置１６４と第２の位置１６６との間で回転可能にする他の適切な回転要素（例えば、円形でない開口またはスナップフィット式でない取り付け方法）を含み得ることは理解されよう。
【００３４】
図２６〜図２９を参照すると、回転可能なブラシツール１１０は、ブラシ基部端部１７８および遠位端１８０を有する。長さ１７２は、遠位端１８０とブラシ基部端部１７８との間で測定される。好適には、長さ１７２は、約２７ｍｍ〜約５５ｍｍの範囲内の長さである。図示した実施形態では、例えば、長さ１７２は約４０ｍｍである。好適には、回転可能なブラシツール１１０は、ブラシ基部端部１７８からブラシ基部遠位端１４１まで延びる長さ１５５のブラシ基部１５４を有する。ブラシ基部１５４は、ブラシ基部遠位端１４１とブラシ基部端部１７８との間のある点からブラシ基部１５４のブラシ基部遠位端１４１まで先細になっている。ブラシ基部１５４は、第１の位置キャッチ１４９および第２の位置キャッチ１４７を有する。第１の位置キャッチ１４９は、歯の清掃ツール１００の第１の側の第１の位置突起１９３と接触する。第２の位置キャッチ１４７は、歯の清掃ツール１００の第１の側の第２の位置突起１９４と接触する。開口１８８は、ブラシ基部１５４を貫通して延び、歯の清掃ツール１００の第１の側の取り付け点１９８とのスナップフィットする関係で係合するのに十分な直径１８９を有する。開口１８８と取り付け点１９８とがスナップフィットする関係にあるので、回転可能なブラシツール１１０を手で第１の位置１６０と第２の位置１６２との間で回転させることが容易になる。開口１８８と取り付け点１９８とがスナップフィットする関係にあるので、第１の位置１６０と第２の位置１６２の両方において、回転可能なブラシツール１１０を第１の側壁１２８に沿って保持することがさらに容易になる。図示の実施形態では、開口１８８は、実質的に円形の断面形状を有する。開口１８８は、本開示のいくつかの態様から逸脱することなく、任意の適切な形状およびサイズを有し得ることは理解されよう。回転可能なブラシツール１１０は、本開示の少なくともいくつかの側面から逸脱することなく、回転可能なブラシツール１１０を第１の位置１６０と第２の位置１６２との間で回転可能にする他の適切な回転要素（例えば、円形でない開口またはスナップフィット式でない取り付け方法）を含み得ることは理解されよう。
【００３５】
別の好適な実施形態では、図３０〜図３３を参照すると、回転可能な３列ブラシツール１０９が、３列ブラシ基部端部１３７と３列ブラシ基部遠位端１３５とを有する。長さ１２３は、３列ブラシ基部遠位端１３５と３列ブラシ基部端部１３７との間で測定される。好適には、長さ１２３は、約２７ｍｍ〜約５５ｍｍの範囲内の長さである。図示した実施形態では、例えば、長さ１２３は約４０ｍｍである。好適には、回転可能な３列ブラシツール１０９は、３列ブラシ基部端部１３７から３列ブラシ基部遠位端１３５まで延びる長さ１１５の３列ブラシ基部１２５を有する。３列ブラシ基部１２５は、３列ブラシ基部遠位端１３１と３列ブラシ基部端部１３１との間のある点から３列ブラシ基部端部１３７の３列ブラシ基部遠位端１３１まで先細になっている。３列ブラシ基部１２５は、第１の位置キャッチ１２９および第２の位置キャッチ１２７を有する。第１の位置キャッチ１２９は、歯の清掃ツール１００の第１の側の第１の位置突起１９３と接触する。第２の位置キャッチ１２７は、歯の清掃ツール１００の第１の側の第２の位置突起１９４と接触する。開口１３９は、３列ブラシ基部１２５を貫通して延び、歯の清掃ツール１００の第１の側の取り付け点１９８とのスナップフィットする関係で係合するのに十分な直径１８９を有する。開口１３９と取り付け点１９８とがスナップフィットする関係にあるので、回転可能な３列ブラシツール１０９を手で第１の位置１６０と第２の位置１６２との間で回転させることが容易になる。開口１３９と取り付け点１９８とがスナップフィットする関係にあるので、第１の位置１６０と第２の位置１６２の両方において、回転可能な３列ブラシツール１０９を第１の側壁１２８に沿って保持することがさらに容易になる。図示の実施形態では、開口１３９は、実質的に円形の断面形状を有する。開口１３９は、本開示のいくつかの態様から逸脱することなく、任意の適切な形状およびサイズを有し得ることは理解されよう。回転可能な３列ブラシツール１０９は、本開示の少なくともいくつかの側面から逸脱することなく、回転可能な３列ブラシツール１０９を第１の位置１６０と第２の位置１６２との間で回転可能にする他の適切な回転要素（例えば、円形でない開口またはスナップフィット式でない取り付け方法）を含み得ることは理解されよう。
【００３６】
図２０および図２１を参照すると、第１の側の取り付け点１９８は、基部１３６の第１の側壁１２８の面から長手方向軸に実質的に垂直な方向に延びている。第２の側の取り付け点１９９は、基部１３６の第２の側壁１３０の面から長手方向軸に実質的に垂直な方向に延びている。図示の実施形態では、第１の側の取り付け点１９８および第２の側の取り付け点１９９は、回転可能なブラシツール１１０、回転可能なピックツール１０８、および回転可能な３列ブラシツール１０９のスナップフィット式の取り付けを容易にするための円筒形状である。第１の側の取り付け点１９８および第２の側の取り付け点１９９は、本開示の少なくともいくつかの側面から逸脱することなく、回転可能なピックツール１０８および回転可能な３列ブラシツール１０９を全可動範囲にわたって回転可能にする他の適切な回転要素（例えば、円形でない取り付け点またはスナップフィット式でない取り付け方法）を含み得ることは理解されよう。
【００３７】
好適な実施形態では、歯の清掃ツール１００は、任意の適切な方式で、任意の適切な材料で形成され得る。例えば、歯の清掃ツール１００は、金属、木材、プラスチック、および／またはそれらの組み合わせから形成され得る。好ましい実施形態の１つでは、歯の清掃ツール１００の少なくともハンドル１０２、フロスホルダ１０４、およびピック１０６は、限定されないが、プラスチックまたは金属などの弾性合成材料の単一部品から形成されるか、または他の方法で形成される。図示された実施形態では、ハンドル１０２、フロスホルダ１０４、およびピック１０６が一体的に形成されている。より具体的には、例示された実施形態では、フロスの糸１４８、回転可能なピックツール１０８、および回転可能なブラシツール１１０を除いて、歯の清掃ツール１００全体が、許容可能な食品グレードのプラスチックから単一部品として成形される。他の実施形態では、ハンドル１０２、フロスホルダ１０４、ピック１０６、および回転可能なピックツール１０８、回転可能なブラシツール１１０、および回転可能な３列ブラシツールのいずれかを別に形成し、組立中に歯の清掃ツール１００に取り付けることができる。
【００３８】
図３４〜図６０は、歯の清掃ツールの別の好適な実施形態を示しており、全体を符合２００で示している。図示されているように、この歯の清掃ツール２００は、ハンドル２０２、フロスホルダ２０４、一体形成されたピック２０６（楊子部）、摺動可能なピックツール２０８および摺動可能なブラシツール２１０を含む。図６１〜図６４は、摺動可能なピックツール２０８および摺動可能なブラシツール２１０の一方または両方の代わりに、またはその両方に加えて、歯の清掃ツールとともに使用することができる摺動可能な３列ブラシツール２０９を示す。ハンドル２０２、フロスホルダ２０４、一体成形されたピック２０６、摺動可能なピックツール２０８、摺動可能なブラシツール２１０、および摺動可能な３列ブラシツール２０９は、それぞれ、添付の図３４〜図６４においてそれぞれの参照番号によって全体が示されている。本開示のいくつかの態様から逸脱しないいくつかの他の一部の好適な実施形態では、歯の清掃ツール２００は、フロスホルダ２０４、ピック１０６、摺動可能なピックツール２０８、摺動可能なブラシツール２１０、および摺動可能な３列ブラシツール２０９の任意の組み合せを含むものとし得ることは理解されよう。好適な一実施形態では、歯の清掃ツール２００は、摺動可能なピックツール２０８、摺動可能なブラシツール２１０、および摺動可能な３列ブラシツール２０９のうちの１つのみを有し得ることが想定されている。
【００３９】
図３４〜図４９に示すように、ハンドル２０２は、グリップ部２１４、フロス端部２１６、およびピック端部２１８を含む。図示の実施形態では、ハンドル２０２は、ハンドル２０２を通して延びる歯の清掃ツール２００の長手方向軸２２４に沿って、フロス端部２１６とピック端部２１８との間で測定された長さ２２０を有する。好適な実施形態では、ハンドル２０２の長さ２２０は、歯の清掃ツール２００が本明細書で説明されるように機能することを可能にする任意の測定値であり得る。好ましくは、長さ２２０は、約４３ｍｍ〜約５２ｍｍの範囲内の長さである。図示された実施形態では、例えば、ハンドル２０２の長さ２２０は約４８ｍｍである。
【００４０】
図示した実施形態では、図３４〜図４９に最もよく示されているように、ハンドル２０２は、前壁２２２、その反対側の後壁２２６、第１の側壁２２８、および第１の側壁の反対側の第２の側壁２３０を含む。図３６〜図４０に示すように、側壁２２８、２３０は、前壁２２２および後壁２２６に垂直な方向に延び、これらを接続する。幅２３２（図３６および図３７）が前壁２２２と後壁２２６との間で測定され、厚さ２３４（図３８〜図４０）は２つの側壁２２８、２３０の間で測定される。好適には、ハンドル２０２の幅２３２は、約３．８ｍｍ〜約５．８ｍｍの範囲内の幅である。図示の実施形態では、例えば、幅２３２は約４．８ｍｍである。好適には、ハンドル２０２の厚さ２３４は、約１．５ｍｍ〜約２．８ｍｍの範囲内の厚さである。図示の実施形態では、例えば、厚さ２３４は約１．９ｍｍである。
【００４１】
ハンドル２０２の遠位端部分を画定し、より具体的にはハンドルのピック端部２１８を画定するピック２０６は、ユーザの歯の間からの食品残渣などの屑片の除去および／または掻取を容易にする。ピック２０６は、隣接する歯の間の屑片の除去を容易にする任意の適切な形状を有し得ることが想定されている。図示の実施形態では、ハンドル２０２のピック端部２１８は、ピック２０６を画定するように尖らせてある。具体的には、少なくとも第１の側壁２２８および第２の側壁２３０の幅は、ピック端部２１８側の一点に向かって先細になっている。図示した実施形態では、図３８に最もよく示されているように、第１の側壁２２８および第２の側壁２３０の両方が、ピック端部２１８に向かって先細になっている。その結果、前壁２２２および後壁２２６は、ピック端部２１８で合流する。第１の側壁２２８および第２の側壁２３０のうちの１つのみが先細であってもよいことは理解されよう。例えば、１つの別の好適な実施形態では、第２の側壁２３０のみが先細となることができ、このような実施形態では第１の側壁２２８は概ね平坦である。
【００４２】
例示された実施形態では、チャネル２９２は、第１の側壁２２８からハンドル２０２を通って第２の側壁２３０まで横断方向の寸法で延び、長手方向には、一体化されたピック２０６に近接したハンドル２０２の領域から歯の清掃ツール２００のフロスホルダ２０４部分に延在している。チャネル２９２は、摺動可能なブラシツール２１０、摺動可能なピックツール２０８、および摺動可能な３列ブラシツール２０９が第１の位置２６０と第２の位置２６２との間を移動するときの経路を部分的に画定する。第１の側の前部のレール２９４、第１の側の後部のレール２９６、第２の側の前部のレール２９５、および第２の側の後部のレール２９７が、一対の摺動可能なツールの保持チャネル２５７と係合して、摺動可能なブラシツール２１０、摺動可能なピックツール２０８、および摺動可能な３列ブラシツール２０９は、第１の位置２６０と第２の位置２６２との間を移動するときの経路をさらに確定する。レール２９４およびレール２９６は、相互におよびチャネル２９２に対して実質的に平行である。レール２９５およびレール２９７は、相互におよびチャネル２９２に対して実質的に平行である。
【００４３】
図示された実施形態では、チャネル２９２は、摺動可能なツールのリブ２８９を受容するように寸法決めされ、構成されている。リブ２８９は、長さ２９３、幅２９０、および高さ２９１を有し、その結果の外縁は、チャネル２９２と実質的に接触するような寸法および形状を有する。
【００４４】
図示された実施形態では、ピック２０６は、ハンドル２０２と一体的に単一部品として形成される。換言すると、ピック２０６はハンドル２０２の一体的な延長部である。しかし、ピック２０６を、別個の構成要素として形成し、歯の清掃ツール２００の組み立て中にハンドル２０２に取り付けてもよいことは理解されよう。本発明のいくつかの態様から逸脱することなく、他の好適な実施形態においては、ピック２０６を歯の清掃ツール２００に取り外し可能に取り付けられ得る。
【００４５】
図示の実施形態では、フロスホルダ２０４は、ハンドル２０２のフロス端部２１６から延びている。フロスホルダ２０４は、円弧状（または広義には非線形）の基部２３６と、互いに離間した形で基部から延びる２つのアーム（内側アーム２３８および外側アーム２４０）を含む。図３６および図３７に見られるように、内側アーム２３８および外側アーム２４０は、互いに実質的に平行である図示された実施形態におけるフロスホルダ２０４は、概ねＵ字形である。しかし、他の好適な実施形態では、フロスホルダ２０４は、任意の適切な形状を有し得ることは理解されよう。
【００４６】
図示された実施形態では、フロスホルダ２０４は、ハンドル２０２と一体的に形成される。換言すれば、フロスホルダ２０４は、ハンドル２０２の一体的な延長部である。しかし、歯の清掃ツール２００の組み立て中に、フロスホルダ２０４を別個の構成要素として形成し、ハンドル２０２に取り付けることもできることは理解されよう。
【００４７】
さらに図３６および図３７を参照すると、歯の清掃ツール２００は、ハンドル２０２とフロスホルダ２０４との間に延びる湾曲部分２４２を含む。その結果、例示の実施形態では、フロスホルダ２０４の基部２３６の大部分が、歯の清掃ツール２００の長手方向軸２２４の下に配置されている。湾曲部分２４２により、ユーザがハンドル２０２を把持し、フロスホルダ２０４をユーザの口に入れることが容易になる。フロスホルダ２０４は、本明細書に記載のような機能を発揮できるハンドル２０２に対する位置関係で任意の形に方向付けられ得ることは理解されよう。例えば、一部の好適な実施形態では、湾曲部分２４２を設けないことができる。このような実施形態では、フロスホルダ２０４の基部２３６は、歯の清掃ツール２００の長手方向軸２２４と整列される。さらに、図示された実施形態では、隆起部２１２が歯の清掃ツール２００の周囲に延在し、これは歯の清掃ツール２００にさらなる強度を与え、ユーザが歯の清掃ツール２００を掴むことを容易にする。
【００４８】
基部２３６に対して片持ちにされた内側アーム２３８および外側アーム２４０の各々は、近位部分２４４および遠位部分２４６を含む。近位部分２４４は基部２３６に接続され、遠位部分２４６は基部２３６から離隔される。少なくとも１本のフロスの糸２４８が、内側アーム２３８および外側アーム２４０それぞれの遠位部分２４６の間に延びる。例えば、図示の実施形態では、２本のフロスの糸２４８が、内側アーム２３８と外側アーム２４０との間に延在する。好適には、複数のフロスの糸２４８が互いに実質的に平行である。フロスホルダ２０４は、本発明のいくつかの態様から逸脱することなく、任意の適切な構成を有し得ることは理解されよう。例えば、フロスの糸２４８は、ユーザがフロスの糸２４８を手で除去および／または交換できるように、内側アーム２３８および外側アーム２４０から選択的に取り外し可能としてもよい。
【００４９】
例示的な実施形態では、摺動可能なピックツール２０８および摺動可能なブラシツール２１０は、歯の清掃ツール２００のハンドル２０２に摺動可能に取り付けられる。好適には、摺動可能なピックツール２０８および摺動可能なブラシツール２１０は、ツールの長手方向軸２２４に実質的に平行な平面内で、それぞれ第１の側壁２２８および第２の側壁２３０に沿って延びる。図示の実施形態では、摺動可能なピックツール２０８は、第２の側壁２３０に沿って延び、摺動可能なブラシツール２１０は、第１の側壁２２８に沿って延びている。しかしながら、他の好適な実施形態では、本発明の一部の態様の範囲から逸脱することなく、摺動可能なピックツール２０８および摺動可能なブラシツール２１０が、歯の清掃ツール２００の任意の部分に沿って延びることも可能であることは理解されよう。
【００５０】
別の実施形態では、摺動可能なピックツール２０８および摺動可能な３列ブラシツール２０９が、歯の清掃ツール２００のハンドル２０２に摺動可能に取り付けられる。好適には、摺動可能なピックツール２０８および摺動可能な３列ブラシツール２０９は、歯の清掃ツールの長手方向軸２２４に実質的に平行な平面内で、それぞれ第１の側壁２２８および第２の側壁２３０に沿って延びる。図示の実施形態では、摺動可能なピックツール２０８は、第２の側壁２３０に沿って延び、摺動可能な３列ブラシツール２０９は、第１の側壁２２８に沿って延びている。しかしながら、他の好適な実施形態では、本発明の一部の態様の範囲から逸脱することなく、摺動可能なピックツール２０８および摺動可能な３列ブラシツール２０９が、歯の清掃ツール２００の任意の部分に沿って延びることも可能であることは理解されよう。
【００５１】
図５３〜図５６を参照すると、摺動可能なピックツール２０８は、尖った先端２５６をなす遠位端とピック基部２５８とを含む。より一般的には、摺動可能なピックツール２０８は、ハンドル２０２に摺動可能に取り付けられ、ハンドル２０２に沿って延びる。より具体的には、摺動可能なピックツール２０８は、第２の側壁２３０に摺動可能に取り付けられ、第２の側壁２３０に沿って延びる。図示の実施形態では、摺動可能なピックツール２０８は、フロスホルダ２０４の横断方向の範囲を超えて延び出す。すなわち、摺動可能なピックツール２０８は、長手方向軸２２４に沿って横断方向に延び、フロスホルダ２０４の基部２３６より長く延び出す。図３８に見られるように、図示の摺動可能なピックツール２０８は、その全体が第２の側壁２３０に沿って配置されている。
【００５２】
図５７〜図６０を参照すると、摺動可能なブラシツール２１０が、ロッド２６８と、ロッド２６８から延びる複数の剛毛要素２７１とを含む。より一般的には、摺動可能なブラシツール２１０は、ハンドル２０２に摺動可能に取り付けられ、ハンドル２０２に沿って延びる。より詳細には、摺動可能なブラシツール２１０は、第１の側壁２２８に摺動可能に取り付けられ、第１の側壁２２８に沿って延びる。図示された実施形態では、摺動可能なブラシツール２１０は、フロスホルダ２０４の横断方向の範囲を超えて延び出す。すなわち、摺動可能なブラシツール２１０は、長手方向軸２２４に沿って横断方向に、フロスホルダ２０４の基部２３６より長く延び出す。図３８に示すように、図示された摺動可能なブラシツール２１０は、その全体が第１の側壁２２８に沿って配置されている。
【００５３】
別の好適な実施形態では、図６１〜図６４を参照すると、歯の清掃ツール２００とともに使用するのに適した、摺動可能な３列ブラシツール２０９と、ロッド２４１と、ロッド２４１から延びる複数の剛毛要素２４５とを含む。より一般的には、摺動可能な３列ブラシツール２０９は、ハンドル２０２に摺動可能に取り付けられ、ハンドル２０２に沿って延びる。より詳細には、摺動可能な３列ブラシツール２０９は、第１の側壁２２８に摺動可能に取り付けられ、第１の側壁２２８に沿って延びる。図示された実施形態では、摺動可能な３列ブラシツール２０９は、フロスホルダ２０４の横断方向の範囲を超えて延び出す。すなわち、摺動可能な３列ブラシツール２０９は、長手方向軸２２４に沿って横断方向に、フロスホルダ２０４の基部２３６より長く延び出す。歯の清掃ツール２００に取り付けられたとき、摺動可能な３列ブラシツール２０９は、その全体が第１の側壁２２８（または第２の側壁２３０）に沿って配置されている。
【００５４】
摺動可能なピックツール２０８は、第１の位置２６０（例えば、格納位置）と第２の位置２６２（例えば、使用位置）との間で選択的に摺動可能である。図３７に示すように、摺動可能なピックツール２０８が第１の位置２６０にあるとき、摺動可能なピックツール２０８は、長手方向軸２２４にほぼ平行であり、摺動可能なピックツール先端の尖った先端２５６（遠位端）は、フロスホルダ２０４に向かって配置される。図４５に示すように、摺動可能なピックツール２０８は、複数の異なる位置に回転可能であり、各位置は、第１の位置２６０からのある距離２７５を有する。例示的な実施形態では、図４５に見られるように、距離２７５は、摺動可能なピックツール２０８が第１の位置２６０からどの程度離れているかに応じて変化する。より具体的には、１つの好適な実施形態では、距離２７５は、摺動可能なピックツール２０８が第１の位置２６０（図３７）にあるときの０ｍｍから、摺動可能なピックツール２０８が第２の位置２６２（図４５）にあるときの約２２ｍｍ〜５０ｍｍまでの範囲である。例えば、図４５に示す距離２７５は約３５ｍｍである。さらに摺動可能なピックツール２０８は、本開示のいくつかの態様から逸脱することなく、歯の清掃ツール２００の任意の部分に対して任意の距離まで摺動されてもよいことは理解されよう。
【００５５】
摺動可能なブラシツール２１０は、第１の位置２６０（例えば、格納位置）と第２の位置２６２（例えば、使用位置）との間で選択的に摺動可能である。図３６に示すように、摺動可能なブラシツール２１０が第１の位置２６０にあるとき、摺動可能なブラシツール２１０は、概ね長手方向軸２２４に平行であり、摺動可能なブラシツールの遠位端２８０は、フロスホルダ２０４に向かうように配置される。図４９に示すように、摺動可能なブラシツール２１０は、チャネル２９２に沿った複数の異なる位置に摺動可能であり、各位置は、第１の位置２６０からのある距離２７５を有する。例示的な実施形態では、図４９に示すように、距離２７５は、摺動可能なブラシツール２１０が第１の位置２６０からどの程度離れるまで摺動されたかに応じて変化し得る。より具体的には、１つの好適な実施形態では、距離２７５は、摺動可能なブラシツール２１０が第１の位置２６０（図３７）にあるときの０ｍｍから、摺動可能なブラシツール２１０が第２の位置２６２（図４５）にあるときの約２２ｍｍ〜５０ｍｍまでの範囲である。例えば、図４９に示す距離２７５は約３５ｍｍである。さらに摺動可能なブラシツール２１０は、本開示のいくつかの態様から逸脱することなく、歯の清掃ツール２００の任意の部分に対して任意の距離まで摺動されてもよいことは理解されよう。
【００５６】
別の好適な実施形態では、摺動可能な３列ブラシツール２０９は、第１の位置２６０（例えば、格納位置）と第２の位置２６２（例えば、使用位置）との間で選択的に摺動可能である。摺動可能な３列ブラシツール２０９が第１の位置２６０にあるとき、摺動可能な３列ブラシツール２０９は、概ね長手方向軸２２４に平行であり、摺動可能なブラシツールの遠位端２４７は、ピック端部２１８に向かうように配置される。摺動可能な３列ブラシツール２０９は、チャネル２９２に沿った複数の異なる位置に摺動可能であり、各位置は、第１の位置２６０からのある距離２７５を有する。距離２７５は、摺動可能な３列ブラシツール２０９が第１の位置２６０からどの程度離れるまで摺動されたかに応じて変化し得る。より具体的には、１つの好適な実施形態では、距離２７５は、摺動可能な３列ブラシツール２０９が第１の位置２６０にあるときの０ｍｍから、摺動可能な３列ブラシツール２０９が第２の位置２６２にあるときの約２２ｍｍ〜５０ｍｍまでの範囲である。摺動可能な３列ブラシツール２０９は、本開示のいくつかの態様から逸脱することなく、歯の清掃ツール２００の任意の部分に対して任意の距離まで摺動されてもよいことは理解されよう。
【００５７】
いくつかの好適な実施形態では、摺動可能なピックツール２０８、摺動可能な３列ブラシツール２０９、および／または摺動可能なブラシツール２１０は、使用のための第２の位置にある歯の清掃ツール２００から完全に取り外すことを可能としてもよい。
【００５８】
摺動可能なピックツール２０８および摺動可能なブラシツール２１０は、ハンドル２０２の任意の部分から延び出すことができる。図示の実施形態では、摺動可能なピックツール２０８は、ハンドル２０２の第１の側壁２２８に沿って長手方向軸２２４に概ね平行な平面内で延びる。さらに、図示の実施形態では、摺動可能なブラシツール２１０は、ハンドル２０２の第２の側壁２３０に沿って長手方向軸２２４に概ね平行な平面内に延びる。好適な実施形態では、摺動可能なピックツール２０８および摺動可能なブラシツール２１０は、本開示のいくつかの態様から逸脱することなく、任意の方法で方向付けられ得る。
【００５９】
別の好適な実施形態では、摺動可能なピックツール２０８および摺動可能な３列ブラシツール２０９は、ハンドル２０２の任意の部分から延び出すことができる。他の好適な実施形態では、摺動可能なピックツール２０８は、ハンドル２０２の第１の側壁２２８に沿って長手方向軸２２４に概ね平行な平面内に延びる。さらに、他の好適な実施形態では、摺動可能な３列ブラシツール２０９は、ハンドル２０２の第２の側壁２３０に沿って長手方向軸２２４に概ね平行な平面内に延びる。他の好適な実施形態では、摺動可能なピックツール２０８および摺動可能な３列ブラシツール２０９は、本開示のいくつかの態様から逸脱することなく、任意の方法で方向付けられ得る。
【００６０】
摺動可能なピックツール２０８が第２の位置２６２に選択的に摺動されると、ユーザは、摺動可能なピックツール２０８を快適に使用して歯を清掃することができる。具体的には、ユーザは、ハンドル２０２を容易に保持し、口に手を入れる困難な作業または口の中に歯の清掃ツール２００を配置する困難な作業なしで、歯の様々な表面に対して摺動可能なピックツール２０８を配置することができる。さらに、摺動可能なピックツール２０８によって、歯の清掃ツール２００をユーザの口中の入れるのが困難な場所（すなわち、ユーザの口の奥）に到達させることが可能となる。さらに、歯の清掃ツール２００は、摺動可能なピックツール２０８が、フロスホルダ２０４によって妨げられることなく様々な位置を取ることができるように、またはその逆も可能となるように構成される。
【００６１】
さらに、摺動可能なブラシツール２１０が第２の位置２６２まで選択的に摺動されると、ユーザは、摺動可能なブラシツール２１０を快適に使用して歯を清掃することができる。具体的には、ユーザは、ハンドル２０２を容易に保持し、口に手を入れる困難な作業または口の中に歯の清掃ツール２００を配置する困難な作業なしで、歯の様々な表面に対して摺動可能なブラシツール２１０を配置することができる。さらに、摺動可能なブラシツール２１０によって、歯の清掃ツール２００をユーザの口中の入れるのが困難な場所（すなわち、ユーザの口の奥）に到達させることが可能となる。さらに、歯の清掃ツール２００は、摺動可能なブラシツール２１０が、フロスホルダ２０４によって妨げられることなく様々な位置を取ることができるように、またはその逆も可能となるように構成される。
【００６２】
別の好適な実施形態では、摺動可能な３列ブラシツール２０９が第２の位置２６２まで選択的に摺動されると、ユーザは、摺動可能な３列ブラシツール２０９を快適に使用して歯を清掃することができる。具体的には、ユーザは、ハンドル２０２を容易に保持し、口に手を入れる困難な作業または口の中に歯の清掃ツール２００を配置する困難な作業なしで、歯の様々な表面に対して摺動可能な３列ブラシツール２０９を配置することができる。さらに、摺動可能な３列ブラシツール２０９によって、歯の清掃ツール２００をユーザの口中の入れるのが困難な場所（すなわち、ユーザの口の奥）に到達させることが可能となる。さらに、歯の清掃ツール２００は、摺動可能な３列ブラシツール２０９が、フロスホルダ２０４によって妨げられることなく様々な位置を取ることができるように、またはその逆も可能となるように構成される。
【００６３】
図５７〜図６０に最もよく示されているように、摺動可能なブラシツール２１０のロッド２６８は、遠位端２８０および近位端２８１を有する。長さ２７９は、遠位端２８０と近位端２８１との間で測定される。好適には、長さ２７９は、約１０ｍｍ〜約２０ｍｍの範囲内の長さである。図示した実施形態では、例えば、長さ２７９は約１５ｍｍである。好適には、ロッド２６８は、ロッド基部の近位端２８１から遠位端２８０まで延びる側壁２７６で形成された円筒形状のものである。図示された実施形態では、側壁２７６は、近位端２８１から遠位端２８０まで延びる先細でない円筒形状のものである。
【００６４】
図５７〜図６０に最もよく示されているように、摺動可能なブラシツール２１０は、近位端２７８および遠位端２８０を有する。長さ２７２は、遠位端２８０と近位端２７８との間で測定される。好適には、長さ２７９は、約１０ｍｍ〜約２０ｍｍの範囲内の長さである。図示した実施形態では、例えば、長さ２７２は約４０ｍｍである。摺動可能なブラシツール２１０は、幅２８７を有する。好適には、幅２８７は、約２．５ｍｍ〜約５ｍｍの範囲内の幅である。図示の実施形態では、例えば、幅２８７は約３．５ｍｍである。好適には、摺動可能なブラシツール２１０は、近位端２７８からロッドの近位端２８１まで延びる基部長さ２６９のブラシ基部２５４を有する。摺動可能なブラシツール２１０は、摺動可能なブラシツール２１０の長手方向軸に沿って延びる一対の保持チャネル２５７を有する。保持チャネル２５７は、摺動可能なブラシツール２１０の第１の位置２６０、第２の位置２６２、および摺動可能なブラシツール２１０の動作範囲全体にわたる保持を容易にするために、レール２９４、２９５、２９６、および２９７に係合するように構成される。摺動可能なブラシツール２１０は、ブラシ基部２５４の下側で摺動可能なブラシツール２１０の長手方向軸に沿って延びる長さ２９３、幅２９０、および高さ２９１のリブ２８９を有する。リブ２８９は、摺動可能なブラシツール２１０の第１の位置２６０、第２の位置２６２、および摺動可能なブラシツール２１０の移動範囲全体にわたる保持をさらに容易にするために、チャネル２９２に係合するように構成される。
【００６５】
別の好適な実施形態では、図６１〜図６４に最もよく示されているように、摺動可能な３列ブラシツール２０９のロッド２４１は、遠位端２４７および近位端２６４を有する。長さ２５１は、遠位端２４７と近位端２６４との間で測定される。好適には、長さ２５１は、約１０ｍｍ〜約２０ｍｍの範囲内の長さである。図示した実施形態では、例えば、長さ２５１は約１５ｍｍである。好適には、ロッド２４１は、ロッドの近位端２６４から遠位端２４７まで延びる側壁２６６で形成された円錐形状のものである。図示された実施形態では、側壁２６６は、近位端２６４から遠位端２４７まで延びる先細の円錐形状である。
【００６６】
図６１〜図６４を参照すると、摺動可能な３列ブラシツール２０９は、３列ブラシ基部端部２９９および遠位端２４７を有する。長さ２７７は、遠位端２４７と３列ブラシ基部端部２９９との間で測定される。好適には、長さ２７７は、約２７ｍｍ〜約５２ｍｍの範囲内の長さである。図示された実施形態では、例えば、長さ２７７は約４０ｍｍである。摺動可能な３列ブラシツール２０９は、幅２８７を有する。好適には、幅２８７は、約２．５ｍｍ〜約５ｍｍの範囲内の幅である。図示された実施形態では、例えば、幅２８７は、約３．５ｍｍである。好適には、摺動可能な３列ブラシツール２０９は、３列ブラシ基部端部２９９からロッドの近位端２６４まで延びる基部長さ２４９の３列ブラシ基部２３９を有する。摺動可能な３列ブラシツール２０９は、摺動可能なブラシツール２１０の長手方向軸に沿って延びる一対の保持チャネル２５５を有する。保持チャネル２５５は、第１の位置２６０、第２の位置２６２、および摺動可能な３列ブラシツール２０９の移動範囲全体にわたる摺動可能な３列ブラシツール２０９の保持を容易にするために、レール２９４、２９５、２９６、および２９７に係合するように構成される。摺動可能な３列ブラシツール２０９は、ブラシ基部２５４の下側で摺動可能な３列ブラシツール２０９の長手方向軸に沿って延びる幅２９０、長さ２９３、および高さ２９１のリブ２８９を有する。リブ２８９は、第１の位置２６０、第２の位置２６２、および摺動可能な３列ブラシツール２０９の移動範囲全体にわたる摺動可能な３列ブラシツール２０９の保持をさらに容易にするために、チャネル２９２に係合するように構成される。
【００６７】
図５３〜図５６に最もよく示されるように、摺動可能なピックツール２０８は、近位端２８４および遠位端２８６を有する。長さ２７４は、遠位端２８６と近位端２８４との間で測定される。好適には、長さ２７４は、約２７ｍｍ〜約５２ｍｍの範囲内の長さである。図示された実施形態では、例えば、長さ２７４は約４０ｍｍである。摺動可能なピックツール２０８は、幅２８７を有する。好適には、幅２８７は、約２．５ｍｍ〜約５ｍｍの範囲内の幅である。図示された実施形態では、例えば、幅２８７は約３．５ｍｍである。好適には、摺動可能なピックツール２０８は、近位端２８４から延びる長さ２７５のピック基部２５８と、ピック基部２５８から遠位端２８６の尖った先端２５６まで延びる長さ２８３を有する側壁とを有する。図示された実施形態では、側壁２８２は、ピック基部２５８から遠位端２８６で尖った先端２５６まで延びるにつれて先細になる。遠位端２８６の尖った先端２５６により、遠位端２８６を清掃目的のために狭い空間に配置するのが容易になる。摺動可能なピックツール２０８は、摺動可能なピックツール２０８の長手方向軸に沿って延びる一対の保持チャネル２５７を有する。保持チャネル２５７は、第１の位置２６０、第２の位置２６２、および摺動可能なピックツール２０８の移動範囲全体にわたる摺動可能なピックツール２０８の保持を容易にするために、レール２９４、２９５、２９６、および２９７と係合するように構成される。摺動可能なピックツール２０８は、ブラシ基部２５４の下側で摺動可能なピックツール２０８の長手方向軸に沿って延びる長さ２９３、幅２９０、および高さ２９１のリブ２８９を有する。リブ２８９は、摺動可能なピックツール２０８の第１の位置２６０、第２の位置２６２、および摺動可能なピックツール２０８の移動範囲全体にわたる保持をさらに容易にするために、チャネル２９２に係合するように構成される。
【００６８】
図５７〜６０に最もよく示されているように、ユーザの歯を清掃するための剛毛要素２７１がロッド２６８から延びている。剛毛要素２７１は、任意の適切な方法で配置することができる。図示された実施形態では、剛毛要素２７１は、ロッド２６８の長さに沿って間隔をおき、かつロッド２６８の周方向に間隔をおいて配置された複数の剛毛要素群１９２をなすように配置されている。他の好適な実施形態では、剛毛要素２７１は、間隔をおいた剛毛要素群２７０をなすように配置される代わりに、ロッド２６８の長さ方向および／または周方向に沿って連続的であってもよい。さらに、好適な実施形態では、剛毛要素２７１は、ロッド２６８の一部分のみから、例えばロッド２６８の側部のみに沿って、または遠位端２８０のみで延び出すことができる。図示の実施形態では、剛毛要素群２７０は、ロッド２６８の周方向に間隔をおき、かつロッド２６８の長さ２７９の方向に沿って延びる複数の列をなすように配置されている。剛毛要素２７１は、任意の適切な方法でグループ化することができ、あるいはロッド２６８上にランダムに配置できることは理解されよう。
【００６９】
別の実施形態では、図６１〜図６４に最もよく示されているように、ユーザの歯を清掃するための剛毛要素２４５がロッド２４１から延びている。剛毛要素２４５は、任意の適切な方法で配置することができる。図示された実施形態では、剛毛要素２４５は、ロッド２４１の周方向に互いに等間隔であり、ロッド２４１の長さ方向に沿って剛毛要素２４５が互いに離間した連続した３列２３７をなすように配置されている。他の好適な実施形態では、剛毛要素２４５は、間隔をおいた剛毛要素の３列２３７をなすように配置される代わりに、ロッド２４１の長さ方向および／または周方向に沿って連続的であってもよい。さらに、好適な実施形態では、剛毛要素２４５は、ロッド２４１の一部分のみから、例えばロッド２４１の側部のみに沿って、または遠位端２４７のみで延び出すことができる。他の好適な実施形態では、剛毛要素２４５は、ロッド２４１と一体的に形成されてもよい。図示された実施形態では、３列２３７は、ロッド２４１の周方向に間隔をおいてロッド２４１の長さ２５１の方向に沿って延びる３列をなすように配置されている。剛毛要素２４５は、任意の適切な方法でグループ化することができ、あるいはロッド２４１上にランダムに配置できることは理解されよう。
【００７０】
好適な実施形態では、歯の清掃ツール２００は、任意の適切な方式で、任意の適切な材料で形成され得る。例えば、歯の清掃ツール２００は、金属、木材、プラスチック、および／またはそれらの組み合わせから形成され得る。好ましい実施形態の１つでは、歯の清掃ツール２００の少なくともハンドル２０２、フロスホルダ２０４、およびピック２０６は、限定されないが、プラスチックまたは金属などの弾性合成材料の単一部品から形成されるか、または他の方法で形成される。図示された実施形態では、ハンドル２０２、フロスホルダ２０４、およびピック２０６が一体的に形成されている。より具体的には、例示された実施形態では、フロスの糸２４８、摺動可能なピックツール２０８、および摺動可能なブラシツール２１０を除いて、歯の清掃ツール２００全体が、許容可能な食品グレードのプラスチックから単一部品として成形される。他の実施形態では、ハンドル２０２、フロスホルダ２０４、ピック２０６、および摺動可能なピックツール２０８、摺動可能なブラシツール２１０、および摺動可能な３列ブラシツールのいずれかを別に形成し、組立中に歯の清掃ツール２００に取り付けることができる。
【００７１】
図６５〜図８０は、歯の清掃ツールの別の好適な実施形態を示しており、全体を符合３００で示している。図示されているように、この歯の清掃ツール３００は、ハンドル３０２、フロスホルダ３０４、一体形成されたピック３０６（楊子部）、着脱可能なピックツール３０８および着脱可能なブラシツール３１０を含む。歯の清掃ツール３００とともに使用するのに適した着脱可能な３列ブラシツール３０９は、図８１〜図８３に示されている。ハンドル３０２、フロスホルダ２０４、一体成形されたピック３０６、着脱可能なピックツール３０８、着脱可能なブラシツール３１０、および着脱可能な３列ブラシツール３０９は、それぞれ、添付の図６５〜図８３においてそれぞれの参照番号によって全体が示されている。本開示のいくつかの態様から逸脱しないいくつかの他の一部の好適な実施形態では、歯の清掃ツール３００は、フロスホルダ３０４、ピック３０６、着脱可能なピックツール３０８、着脱可能なブラシツール３１０、および着脱可能な３列ブラシツール３０９の任意の組み合せを含むものとし得ることは理解されよう。好適な一実施形態では、歯の清掃ツール３００は、着脱可能なピックツール３０８、着脱可能なブラシツール３１０、および着脱可能な３列ブラシツール３０９のうちの１つのみを有し得ることが想定されている。
【００７２】
図６５〜図７４に示すように、ハンドル３０２は、グリップ部３１４、フロス端部３１６、およびピック端部３１８を含む。図示の実施形態では、ハンドル３０２は、ハンドル３０２を通して延びる歯の清掃ツール３００の長手方向軸３２４に沿って、フロス端部３１６とピック端部３１８との間で測定された長さ３２０を有する。好適な実施形態では、ハンドル３０２の長さ３２０は、歯の清掃ツール３００が本明細書で説明されるように機能することを可能にする任意の測定値であり得る。好ましくは、長さ３２０は、約４３ｍｍ〜約５２ｍｍの範囲内の長さである。図示された実施形態では、例えば、ハンドル３０２の長さ３２０は約４８ｍｍである。
【００７３】
図示した実施形態では、図６５〜図７４に最もよく示されているように、ハンドル３０２は、前壁３２２、その反対側の後壁３２６、第１の側壁３２８、および第１の側壁の反対側の第２の側壁３３０を含む。図６７〜図６９に示すように、側壁３２８、３３０は、前壁３２２および後壁３２６に垂直な方向に延び、これらを接続する。幅３３２（図６７および図６８）が前壁３２２と後壁３２６との間で測定され、厚さ３３４（図６９）は２つの側壁３２８、３３０の間で測定される。好適には、ハンドル３０２の幅３３２は、約３．８ｍｍ〜約５．８ｍｍの範囲内の幅である。図示の実施形態では、例えば、幅３３２は約４．８ｍｍである。好適には、ハンドル３０２の厚さ３３４は、約１．５ｍｍ〜約２．８ｍｍの範囲内の厚さである。図示の実施形態では、例えば、厚さ３３４は約１．９ｍｍである。
【００７４】
ハンドル３０２の遠位端部分を画定し、より具体的にはハンドルのピック端部３１８を画定するピック３０６は、ユーザの歯の間からの食品残渣などの屑片の除去および／または掻取を容易にする。ピック３０６は、隣接する歯の間の屑片の除去を容易にする任意の適切な形状を有し得ることが想定されている。図示の実施形態では、ハンドル３０２のピック端部３１８は、ピック３０６を画定するように尖らせてある。具体的には、少なくとも第１の側壁３２８および第２の側壁３３０の幅は、ピック端部３１８側の一点に向かって先細になっている。図示した実施形態では、図６９に最もよく示されているように、第１の側壁３２８および第２の側壁３３０の両方が、ピック端部２１８に向かって先細になっている。その結果、前壁３２２および後壁３２６は、ピック端部３１８で合流する。第１の側壁３２８および第２の側壁３３０のうちの１つのみが先細であってもよいことは理解されよう。例えば、１つの別の好適な実施形態では、第２の側壁３３０のみが先細となることができ、このような実施形態では第１の側壁３２８は概ね平坦である。
【００７５】
図示された実施形態では、図６５〜図７４に最もよく示されているように、取り付け点３９２、３９４、３９６、および３９８は、それぞれの側面の着脱可能なピックツール３０８、着脱可能なブラシツール３１０の１つを受け取り、着脱可能に保持するように寸法決めされ、構成される。より具体的には、第１の側の取り付け点３９２は、歯の清掃ツール３００のフロスホルダ３０４に向かって第１の側壁３２８に配置される。第１の側の取り付け点３９４は、歯の清掃ツール３００のピック３０６に向かって第１の側壁３２８に配置される。第２の側の取り付け点３９６は、歯の清掃ツール３００のフロスホルダ３０４に向かって第２の側壁３３０に配置される。第２の側の取り付け点３９８は、歯の清掃ツール３００のピック３０６に向かって第２の側壁３３０に配置される。図７２に見られるように、取り付け点３９２、３９４、３９６、および３９８は、着脱可能なピックツール３０８および着脱可能なブラシツール３１０の基部直径との実質的な接触を容易にするために実質的に円形の内側の形状を有する。しかし、他の好適な実施形態では、取り付け点３９２、３９４、３９６、および３９８は、着脱可能なピックツール３０８および着脱可能なブラシツール３１０を受け入れ、着脱可能に保持するのを容易にするために、任意の適切な内側および外側形状を有し得ることは理解されよう。さらに、図６５〜図７４に見られるように、歯の清掃ツール３００上には側壁あたり２つの取り付け点がある。さらに、着脱可能なピックツール３０８および着脱可能なブラシツール３１０を着脱可能に保持するのを容易にするために、側面あたりの任意の適切な数の取り付け点を利用できることは理解されよう。
【００７６】
別の好適な実施形態では、図６５〜図７４に最もよく示されているように、取り付け点３９２、３９４、３９６、および３９８は、着脱可能なピックツール３０８および着脱可能な３列ブラシツール３０９の１つを受け取り、着脱可能に保持するように寸法決めされ、構成される。より具体的には、第１の側の取り付け点３９２は、歯の清掃ツール３００のフロスホルダ３０４に向かって第１の側壁３２８に配置される。第１の側の取り付け点３９４は、歯の清掃ツール３００のピック３０６に向かって第１の側壁３２８に配置される。第２の側の取り付け点３９６は、歯の清掃ツール３００のフロスホルダ３０４に向かって第２の側壁３３０に配置される。第２の側の取り付け点３９８は、歯の清掃ツール３００のピック３０６に向かって第２の側壁３３０に配置される。図７２に見られるように、取り付け点３９２、３９４、３９６、および３９８は、着脱可能なピックツール３０８および着脱可能な３列ブラシツール３０９のピック基部３５８および３列ブラシ基部３９１との実質的な接触を容易にするために実質的に円形の内側の形状を有する。図７２に見られるように、取り付け点３９２、３９４、３９６、および３９８は、着脱可能なピックツール３０８および着脱可能な３列ブラシツール３０９の基部直径との実質的な接触を容易にするために実質的に円形の内側の形状を有する。さらに、図６５〜図７４に見られるように、歯の清掃ツール３００上には側壁あたり２つの取り付け点がある。さらに、着脱可能なピックツール３０８および着脱可能な３列ブラシツール３０９を着脱可能に保持するのを容易にするために、側面あたりの任意の適切な数の取り付け点を利用できることは理解されよう。
【００７７】
図示された実施形態では、ピック３０６は、ハンドル３０２と一体的に単一部品として形成される。換言すると、ピック３０６はハンドル３０２の一体的な延長部である。しかし、ピック３０６を、別個の構成要素として形成し、歯の清掃ツール３００の組み立て中にハンドル３０２に取り付けてもよいことは理解されよう。また、ピック３０６は、本開示のいくつかの態様から逸脱することなく、他の適切な実施形態において、歯の清掃ツール３００に取り外し可能に取り付けることも考えられる。
【００７８】
図示の実施形態では、フロスホルダ３０４は、ハンドル３０２のフロス端部３１６から延びている。フロスホルダ３０４は、円弧状（または広義には非線形）の基部３３６と、互いに離間した形で基部から延びる２つのアーム（内側アーム３３８および外側アーム３４０）を含む。図６７および図６８に見られるように、内側アーム３３８および外側アーム３４０は、互いに実質的に平行である。図示された実施形態におけるフロスホルダ３０４は、概ねＵ字形である。しかし、他の好適な実施形態では、フロスホルダ３０４は、任意の適切な形状を有し得ることは理解されよう。
【００７９】
図示された実施形態では、フロスホルダ３０４は、ハンドル３０２と一体的に形成される。換言すれば、フロスホルダ３０４は、ハンドル３０２の一体的な延長部である。しかし、歯の清掃ツール３００の組み立て中に、フロスホルダ３０４を別個の構成要素として形成し、ハンドル３０２に取り付けることもできることは理解されよう。
【００８０】
さらに図３５〜図８０を参照すると、歯の清掃ツール３００は、ハンドル３０２とフロスホルダ３０４との間に延びる湾曲部分３４２を含む。その結果、例示の実施形態では、フロスホルダ３０４の基部３３６の大部分が、歯の清掃ツール３００の長手方向軸３２４の下に配置されている。湾曲部分３４２により、ユーザがハンドル３０２を把持し、フロスホルダ３０４をユーザの口に入れることが容易になる。フロスホルダ３０４は、本明細書に記載のような機能を発揮できるハンドル３０２に対する位置関係で任意の形に方向付けられ得ることは理解されよう。例えば、一部の好適な実施形態では、湾曲部分３４２を設けないことができる。このような実施形態では、フロスホルダ３０４の基部３３６は、歯の清掃ツール３００の長手方向軸３２４と整列される。さらに、図示された実施形態では、隆起部３１２が歯の清掃ツール３００の周囲に延在し、これは歯の清掃ツール３００にさらなる強度を与え、ユーザが歯の清掃ツール３００を掴むことを容易にする。
【００８１】
基部３３６に対して片持ちにされた内側アーム３３８および外側アーム３４０の各々は、近位部分３４４および遠位部分３４６を含む。近位部分３４４は基部３３６に接続され、遠位部分３４６は基部３３６から離隔される。少なくとも１本のフロスの糸３４８が、内側アーム３３８および外側アーム３４０それぞれの遠位部分３４６の間に延びる。例えば、図示の実施形態では、２本のフロスの糸３４８が、内側アーム３３８と外側アーム３４０との間に延在する。好適には、複数のフロスの糸３４８が互いに実質的に平行である。フロスホルダ３０４は、本発明のいくつかの態様から逸脱することなく、任意の適切な構成を有し得ることは理解されよう。例えば、フロスの糸３４８は、ユーザがフロスの糸３４８を手で除去および／または交換できるように、内側アーム３３８および外側アーム３４０から選択的に取り外し可能としてもよい。
【００８２】
好適な実施形態では、着脱可能なピックツール３０８および着脱可能なブラシツール３１０は、歯の清掃ツール３００のハンドル３０２に摺動可能に取り付けられる。好適には、着脱可能なピックツール３０８および着脱可能なブラシツール３１０は、ツールの長手方向軸３２４に実質的に平行な平面内で、それぞれ第１の側壁３２８および第２の側壁３３０に沿って延びる。図示の実施形態では、ハンドル３０２に取り付けられたとき、着脱可能なピックツール３０８は、第２の側の取り付け点３９８および３９６内に保持され、第２の側壁３３０に沿って延びる。着脱可能なブラシツール３１０は、第１の側の取り付け点３９２および３９４内に保持され、第１の側壁３２８に沿って延びる。しかしながら、着脱可能なピックツール３０８および着脱可能なブラシツール３１０は、歯の清掃ツール３００に取り付けられたとき、本発明の一部の態様の範囲から逸脱することなく、他の適切な実施形態において、歯の清掃ツール３００の任意の部分に沿って延びることも可能であることは理解されよう。
【００８３】
別の好適な実施形態では、着脱可能なピックツール３０８、着脱可能なブラシツール３１０および着脱可能な３列ブラシツール３０９のうちの１つは、歯の清掃ツール３００のハンドル３０２に着脱可能に取り付けられる。好適には、ハンドル３０２に取り付けられたとき、着脱可能なピックツール３０８および着脱可能な３列ブラシツール３０９は、歯の清掃ツールの長手方向軸３２４に実質的に平行な平面内で、それぞれ第１の側壁３２８および第２の側壁３３０に沿って延びる。図示の実施形態では、ハンドル３０２に取り付けられたとき、着脱可能なピックツール３０８は、第２の側の取り付け点３９８および３９６内に保持され、第２の側壁３３０に沿って延びる。着脱可能な３列ブラシツール３０９は、第１の側の取り付け点３９２および３９４内に保持され、第１の側壁３２８に沿って延びる。しかしながら、他の好適な実施形態では、本発明の一部の態様の範囲から逸脱することなく、歯の清掃ツール３００に取り付けられたとき、着脱可能なピックツール３０８、着脱可能なブラシツール３１０、着脱可能な３列ブラシツール３０９が、歯の清掃ツール３００の任意の部分に沿って延びることも可能であることは理解されよう。
【００８４】
図６５〜図７７を参照すると、着脱可能なピックツール３０８は、尖った先端３５６をなす遠位端、ピック基部３５８、およびチェックパターン形状領域３５５を含む。より一般的には、着脱可能なピックツール３０８は、ハンドル３０２に摺動可能に取り付けられ、ハンドル３０２に沿って延びる。より具体的には、着脱可能なピックツール３０８は、第２の側壁３３０に着脱可能に取り付けられ、第２の側壁３３０に沿って延びる。図示の実施形態では、着脱可能なピックツール３０８は、フロスホルダ３０４の横断方向の範囲を超えて延び出す。すなわち、着脱可能なピックツール３０８は、長手方向軸３２４に沿って横断方向に延び、フロスホルダ３０４の基部３３６より長く延び出す。図６９に見られるように、図示の着脱可能なピックツール３０８は、その全体が第２の側壁３３０に沿って配置されている。
【００８５】
図６５〜図７４および図７８〜図８０を参照すると、着脱可能なブラシツール３１０は、ロッド３６８と、ロッド３６８から延びる複数の剛毛要素３６７と、ブラシ基部３５４と、チェックパターン形状領域３５５とを含む。より一般的には、着脱可能なブラシツール３１０は、ハンドル３０２に着脱可能に取り付けられ、ハンドル３０２に沿って延びる。より詳細には、着脱可能なブラシツール３１０は、第１の側壁３２８に着脱可能に取り付けられ、第１の側壁３２８に沿って延びる。図示された実施形態では、着脱可能なブラシツール３１０は、フロスホルダ３０４の横断方向の範囲を超えて延び出す。すなわち、着脱可能なブラシツール３１０は、長手方向軸３２４に沿って横断方向に、フロスホルダ３０４の基部３３６より長く延び出す。図６９に示すように、図示された摺動可能なブラシツール３１０は、その全体が第１の側壁３２８に沿って配置されている。
【００８６】
別の好適な実施形態では、図６５〜図７４および図８１〜図８３を参照すると、着脱可能な３列ブラシツール３０９は、ロッド３９５と、ロッド３９５から延びる複数の剛毛要素３８５と、３列ブラシ基部３９１と、チェックパターン形状領域３５５とを含む。より一般的には、着脱可能な３列ブラシツール３０９は、ハンドル３０２に着脱可能に取り付けられ、ハンドル３０２に沿って延びる。より詳細には、着脱可能な３列ブラシツール３０９は、第１の側壁３２８に着脱可能に取り付けられ、第１の側壁３２８に沿って延びる。図示された実施形態では、着脱可能な３列ブラシツール３０９は、フロスホルダ３０４の横断方向の範囲を超えて延び出す。すなわち、着脱可能な３列ブラシツール３０９は、長手方向軸３２４に沿って横断方向に、フロスホルダ３０４の基部３３６より長く延び出す。図６９に示すように、図示の着脱可能な３列ブラシツール３０９は、その全体が第１の側壁３２８に沿って配置されている。
【００８７】
着脱可能なピックツール３０８は、第１の位置３６０（例えば、格納位置）と第２の位置３６２（例えば、使用位置）との間で選択的に着脱可能である。図６５〜図７０に示すように、着脱可能なピックツール３０８が第１の位置３６０にあるとき、着脱可能なピックツール３０８は、長手方向軸３２４にほぼ平行であり、着脱可能なピックツール先端の尖った先端３５６（遠位端）は、ピック端部３１８に向かって配置される。図７１および図７２に示すように、着脱可能なピックツール３０８は、複数の第２の位置３６２に着脱可能である。さらに着脱可能なピックツール３０８は、本開示のいくつかの態様から逸脱することなく、第１の位置３６０にあるとき、歯の清掃ツール３００の任意の部分に対して角度をなしていてもよいことは理解されよう。
【００８８】
着脱可能なブラシツール３１０は、第１の位置３６０（例えば、格納位置）と第２の位置３６２（例えば、使用位置）との間で選択的に着脱可能である。図６５〜図７０に示すように、着脱可能なブラシツール３１０が第１の位置３６０にあるとき、着脱可能なブラシツール３１０は、概ね長手方向軸３２４に平行であり、着脱可能なブラシツールの遠位端３８０は、ピック端部３１８に向かうように配置される。図７１および図７２に示すように、着脱可能なブラシツール３１０は、複数の異なる第２の位置３６２に着脱可能である。さらに、着脱可能なブラシツール３１０は、本開示のいくつかの態様から逸脱することなく、歯の清掃ツール３００の任意の部分に対して角度をなしていてもよいことは理解されよう。
【００８９】
回転可能な３列ブラシツール３０９も、第１の位置３６０（例えば、格納位置）と第２の位置３６２（例えば、使用位置）との間で選択的に着脱可能であり得る。図６５〜図７０に示すように、着脱可能な３列ブラシツール１０９が第１の位置３６０にあるとき、着脱可能な３列ブラシツール３０９は、長手方向軸３２４に概ね平行であり、着脱可能な３列ブラシツールの遠位端３９９は、ピック端部３１８に向かって配置される。図７１および図７２に示すように、着脱可能なブラシツール３０９は、複数の異なる第２の位置３６２に着脱可能である。さらに、着脱可能な３列ブラシツール３０９は、第１の位置３６０にあるとき、本開示のいくつかの態様から逸脱することなく、歯の清掃ツール３００の任意の部分に対して角度をなしていてもよいことは理解されよう。
【００９０】
着脱可能な３列ブラシツール３０９および着脱可能なブラシツール３１０は、ハンドル３０２の任意の部分から延び出すことができる。図示の実施形態では、着脱可能なブラシツール３１０は、ハンドル３０２の第１の側壁３２８に沿って長手方向軸３２４に概ね平行な平面内で延びる。さらに、図示の実施形態では、歯の清掃ツール３００に取り付けられたとき、着脱可能なピックツール３０８は、ハンドル３０２の第２の側壁３３０に沿って長手方向軸３２４に概ね平行な平面内に延びる。好適な実施形態では、歯の清掃ツール３００に取り付けられたとき、着脱可能なピックツール３０８および着脱可能なブラシツール３１０は、本開示のいくつかの態様から逸脱することなく、任意の方法で方向付けられ得る。
【００９１】
別の好適な実施形態では、歯の清掃ツール３００に取り付けられたとき、着脱可能なピックツール３０８および着脱可能な３列ブラシツール３０９は、ハンドル３０２の任意の部分から延び出すことができる。図示の実施形態では、着脱可能な３列ブラシツール３０９は、ハンドル３０２の第１の側壁３２８に沿って長手方向軸３２４に概ね平行な平面内で延びる。さらに、図示の実施形態では、歯の清掃ツール３００に取り付けられたとき、着脱可能なピックツール３０８は、ハンドル３０２の第２の側壁３３０に沿って長手方向軸３２４に概ね平行な平面内に延びる。好適な実施形態では、歯の清掃ツール３００に取り付けられたとき、着脱可能なピックツール３０８および着脱可能な３列ブラシツール３０９は、本開示のいくつかの態様から逸脱することなく、任意の方法で方向付けられ得る。
【００９２】
着脱可能なピックツール３０８が第２の位置３６２に選択的に取り付けられると、ユーザは、着脱可能なピックツール３０８を快適に使用して歯を清掃することができる。具体的には、ユーザは、着脱可能なピックツール３０８のピック基部３５８を容易に保持し、口に手を入れる困難な作業または口の中に歯の清掃ツール３００を配置する困難な作業なしで、歯の様々な表面に対して摺動可能なピックツール３０８を配置することができる。さらに、着脱可能なピックツール３０８によって、歯の清掃ツール３００をユーザの口中の入れるのが困難な場所（すなわち、ユーザの口の奥）に到達させることが可能となる。さらに、歯の清掃ツール３００は、着脱可能なピックツール３０８が、歯の清掃ツール３００の他の部分によって妨げられることなく様々な位置を取ることができるように、またはその逆も可能となるように構成される。
【００９３】
さらに、着脱可能なブラシツール３１０が第２の位置３６２に選択的に取り外されると、ユーザは、着脱可能なブラシツール３１０を快適に使用して歯を清掃することができる。具体的には、ユーザは、着脱可能なブラシツール３１０のブラシ基部３５４を容易に保持し、口に手を入れる困難な作業または口の中に歯の清掃ツール３００を配置する困難な作業なしで、歯の様々な表面に対して摺動可能なブラシツール３１０を配置することができる。さらに、着脱可能なブラシツール３１０によって、歯の清掃ツール３００をユーザの口中の入れるのが困難な場所（すなわち、ユーザの口の奥）に到達させることが可能となる。さらに、歯の清掃ツール３００は、着脱可能なブラシツール３１０が、歯の清掃ツール３００の他の部分によって妨げられることなく様々な位置を取ることができるように、またはその逆も可能となるように構成される。
【００９４】
別の好適な実施形態では、着脱可能な３列ブラシツール３０９が第２の位置３６２に選択的に取り外されると、ユーザは、着脱可能な３列ブラシツール３０９を快適に使用して歯を清掃することができる。具体的には、ユーザは、着脱可能な３列ブラシツール３０９の３列ブラシ基部３９１を容易に保持し、口に手を入れる困難な作業または口の中に歯の清掃ツール３００を配置する困難な作業なしで、歯の様々な表面に対して着脱可能な３列ブラシツール３０９を配置することができる。さらに、着脱可能な３列ブラシツール３０９によって、歯の清掃ツール３００をユーザの口中の入れるのが困難な場所（すなわち、ユーザの口の奥）に到達させることが可能となる。さらに、歯の清掃ツール３００は、着脱可能な３列ブラシツール３０９が、歯の清掃ツール３００の他の部分によって妨げられることなく様々な位置を取ることができるように、またはその逆も可能となるように構成される。
【００９５】
図７８〜図８０に最もよく示されているように、着脱可能なブラシツール３１０は、近位端３７８および遠位端３８０を有する。長さ３７２は、遠位端３８０と近位端３７８との間で測定される。好適には、長さ３７２は、約２７ｍｍ〜約５５ｍｍの範囲内の長さである。図示した実施形態では、例えば、長さ３７２は約４０ｍｍである。図示の実施形態では、着脱可能なブラシツール３１０は、直径３５１を有する。好適には、着脱可能なブラシツール３１０は、近位端３７８から延びる基部長さ３７１のブラシ基部３５４と、近位端３７８からロッドの近位端３７７まで延びる側壁３７６とを有する。ブラシ基部３５４は、近位端３７８である球径３５３を有する実質的に（半）球状の領域に向かって拡径する。着脱可能なブラシツール３１０のロッド３６８は、遠位端３８０および近位端３７７を有する。長さ３６９は、遠位端３８０と近位端３７７との間で測定される。好適には、長さ３６９は、約１０ｍｍ〜約２０ｍｍの範囲内の長さである。図示した実施形態では、例えば、長さ３６９は約１５ｍｍである。好適には、ロッド３６８は、ロッド基部の近位端３７７からロッドの遠位端３８０まで延びる側壁３６１で形成された円筒形状のものである。図示された実施形態では、側壁３７６は、ロッド基部の近位端３７７からロッドの遠位端３８０まで延びる先細でない円筒形状のものである。図示された実施形態では、ピック基部３５８は、ピック基部３５８の側壁３８２に沿って延びるチェックパターン形状領域３５５を有する。
【００９６】
ユーザの歯を清掃するための剛毛要素３６７がロッド３６８から延びている。剛毛要素３６７は、任意の適切な方法で配置することができる。図示された実施形態では、剛毛要素３６７は、ロッド３６８の長さに沿って間隔をおき、かつロッド３６８の周方向に間隔をおいて配置された複数の剛毛要素群３７０をなすように配置されている。他の好適な実施形態では、剛毛要素３６７は、間隔をおいた剛毛要素群３７０をなすように配置される代わりに、ロッド３６８の長さ方向および／または周方向に沿って連続的であってもよい。さらに、好適な実施形態では、剛毛要素３６７は、ロッド３６８の一部分のみから、例えばロッド３６８の側部のみに沿って、または遠位端３８０のみで延び出すことができる。図示の実施形態では、剛毛要素群３７０は、ロッド３６８の周方向に間隔をおき、かつロッド３６８の長さ３６９の方向に沿って延びる複数の列をなすように配置されている。剛毛要素３６７は、任意の適切な方法でグループ化することができ、あるいはロッド３６８上にランダムに配置できることは理解されよう。
【００９７】
別の好適な実施形態では、図８１〜図８３に最もよく示されているように、着脱可能な３列ブラシツール３０９は、近位端３９３および遠位端３９９を有する。長さ３８９は、遠位端３９９と近位端３９３との間で測定される。好適には、長さ３８９は、約２７ｍｍ〜約５５ｍｍの範囲内の長さである。図示した実施形態では、例えば、長さ３８９は約４０ｍｍである。図示の実施形態では、着脱可能な３列ブラシツール３０９は、直径３５１を有する。好適には、着脱可能な３列ブラシツール３０９は、近位端３９３から延びる基部長さ３９０の３列ブラシ基部３９１と、近位端３９３からロッド基部の近位端３６３まで延びる側壁３８１とを有する。３列ブラシ基部３９１は、近位端３９３である球径３５３を有する実質的に（半）球状の領域に向かって拡径する。着脱可能な３列ブラシツール３０９のロッド３９５は、遠位端３９９および近位端３６３を有する。長さ３８７は、遠位端３９９と近位端３６３との間で測定される。好適には、長さ３８７は、約１０ｍｍ〜約２０ｍｍの範囲内の長さである。図示した実施形態では、例えば、長さ３８７は約１５ｍｍである。好適には、ロッド３９５は、ロッド基部の近位端３６３からロッドの遠位端３９９まで延びる側壁３５２で形成された円錐形状のものである。図示された実施形態では、側壁３５２は、ロッド基部の近位端３６３からロッドの遠位端３９９まで延びる先細の円筒形状のものである。図示された実施形態では、ピック基部３５８は、ピック基部３５８の側壁３８２に沿って延びるチェックパターン形状領域３５５を有する。
【００９８】
ユーザの歯を清掃するための剛毛要素３８５がロッド３９５から延びている。剛毛要素３８５は、任意の適切な方法で配置することができる。図示された実施形態では、剛毛要素３８５は、ロッド３９５の長さに沿って間隔をおき、かつロッド３９５の周方向に間隔をおいて配置された複数の剛毛要素の列３５０をなすように配置されている。他の好適な実施形態では、剛毛要素３８５は、間隔をおいた剛毛要素の列３５０をなすように配置される代わりに、ロッド３９５の長さ方向および／または側壁３５２に沿って連続的であってもよい。さらに、好適な実施形態では、剛毛要素３８５は、ロッド３９５の一部分のみから、例えばロッド３９５の側部のみに沿って、または遠位端３９９のみで延び出すことができる。他の好適な実施形態では、剛毛要素３８５は、ロッド３９５と一体的に形成されてもよい。図示された実施形態では、列３５０は、ロッド３９５の周方向に間隔をおいてロッド３９５の長さ３８７の方向に沿って延びる３列をなすように配置されている。剛毛要素３８５は、任意の適切な方法でグループ化することができ、あるいはロッド３９５上にランダムに配置できることは理解されよう。
【００９９】
図７５〜図７７に最もよく示されているように、着脱可能なピックツール３０８は、近位端３８４および遠位端３８６を有する。長さ３７４は、遠位端３８６と近位端３８４との間で測定される。好適には、長さ３７４は、約２７ｍｍ〜約５５ｍｍの範囲内の長さである。図示の実施形態では、例えば、長さ３７４は約４０ｍｍである。好適には、着脱可能なピックツール３０８は、近位端３８４から延びる基部長さ３７５のピック基部３５８と、ピック基部３５８から基部遠位端３５９まで延びる側壁とを有する。着脱可能なピックツール３０８のピック３５７は、ピック基部の遠位端３５９から尖った先端３５６をなす遠位端３８６まで延び、ピック長さ３７３を有する。図示された実施形態では、側壁３８２は、ピック基部３５８から尖った先端３５６をなす遠位端３８６まで延びるにつれて先細になっている。ピック基部３５８は、近位端３８４である球径３５３を有する実質的に（半）球状の領域に向かって拡径する。遠位端３８６の尖った先端３５６により、遠位端３８６を清掃目的のために狭い空間に配置するのが容易になる。図示された実施形態では、ピック基部３５８は、ピック基部３５８の側壁３８２に沿って延びるチェックパターン形状領域３５５を有する。
【０１００】
好適な実施形態では、歯の清掃ツール３００は、任意の適切な方式で、任意の適切な材料で形成され得る。例えば、歯の清掃ツール３００は、金属、木材、プラスチック、および／またはそれらの組み合わせから形成され得る。好ましい実施形態の１つでは、歯の清掃ツール３００の少なくともハンドル３０２、フロスホルダ３０４、およびピック３０６は、限定されないが、プラスチックまたは金属などの弾性合成材料の単一部品から形成されるか、または他の方法で形成される。図示された実施形態では、ハンドル３０２、フロスホルダ３０４、およびピック１０６が一体的に形成されている。より具体的には、例示された実施形態では、フロスの糸３４８、着脱可能なピックツール３０８、および着脱可能なブラシツール３１０を除いて、また他の実施形態では着脱可能な３列ブラシツール３０９も除いて、歯の清掃ツール３００全体が、許容可能な食品グレードのプラスチックから単一部品として成形される。他の実施形態では、ハンドル３０２、フロスホルダ３０４、ピック３０６、および着脱可能なピックツール３０８、着脱可能なブラシツール３１０、および着脱可能な３列ブラシツールのいずれかを別に形成し、組立中に歯の清掃ツール３００に取り付けることができる。
【０１０１】
本発明の要素またはその好ましい実施形態について記載するとき、冠詞「ある（ａ、ａｎ）」、「前記、またはその（ｔｈｅ、ｓａｉｄ）」は、１つまたは複数の要素が存在することを意味する意図で用いられている。「含む（ｃｏｍｐｒｉｓｉｎｇ、ｉｎｃｌｕｄｉｎｇ）」および「有する（ｈａｖｉｎｇ）」という用語は包括的であり、列記された要素以外の追加の要素が存在し得ることを意味する。
【０１０２】
上記の構成において、本発明の範囲から逸脱することなく様々な変更を加えることができるので、上記の説明に含まれ、添付の図面に示されるすべての事項は、例示的なものであり限定的な意味ではないと解釈されたい。
【０１０３】
本明細書の説明では、本発明を開示し、当業者が本発明を実施できるようにするために、最良の形態を含む複数の実施形態を用いており、本発明の実施には任意のデバイスまたはシステムを作成および使用し、組み込まれた方法を実行することが含まれる。本発明の範囲は、特許請求の範囲の請求項の記載によって定義され、当業者が想到し得る明細書に記載されていない他の実施形態も含まれる。そのような他の実施形態の記載は、請求項の記載内容と異ならない構造的要素を有する場合、またはそれらが請求項の記載とは異なるが実質的に均等な構造的要素を有する場合に、その実施形態は本発明の範囲内になるということを意味している。
【図１】
2020508703.tif 000003
【図２】
2020508703.tif 000004
【図３】
2020508703.tif 000005
【図４】
2020508703.tif 000006
【図５】
2020508703.tif 000007
【図６】
2020508703.tif 000008
【図７】
2020508703.tif 000009
【図８】
2020508703.tif 000010
【図９】
2020508703.tif 000011
【図１０】
2020508703.tif 000012
【図１１】
2020508703.tif 000013
【図１２】
2020508703.tif 000014
【図１３】
2020508703.tif 000015
【図１４】
2020508703.tif 000016
【図１５】
2020508703.tif 000017
【図１６】
2020508703.tif 000018
【図１７】
2020508703.tif 000019
【図１８】
2020508703.tif 000020
【図１９】
2020508703.tif 000021
【図２０】
2020508703.tif 000022
【図２１】
2020508703.tif 000023
【図２２】
2020508703.tif 000024
【図２３】
2020508703.tif 000025
【図２４】
2020508703.tif 000026
【図２５】
2020508703.tif 000027
【図２６】
2020508703.tif 000028
【図２７】
2020508703.tif 000029
【図２８】
2020508703.tif 000030
【図２９】
2020508703.tif 000031
【図３０】
2020508703.tif 000032
【図３１】
2020508703.tif 000033
【図３２】
2020508703.tif 000034
【図３３】
2020508703.tif 000035
【図３４】
2020508703.tif 000036
【図３５】
2020508703.tif 000037
【図３６】
2020508703.tif 000038
【図３７】
2020508703.tif 000039
【図３８】
2020508703.tif 000040
【図３９】
2020508703.tif 000041
【図４０】
2020508703.tif 000042
【図４１】
2020508703.tif 000043
【図４２】
2020508703.tif 000044
【図４３】
2020508703.tif 000045
【図４４】
2020508703.tif 000046
【図４５】
2020508703.tif 000047
【図４６】
2020508703.tif 000048
【図４７】
2020508703.tif 000049
【図４８】
2020508703.tif 000050
【図４９】
2020508703.tif 000051
【図５０】
2020508703.tif 000052
【図５１】
2020508703.tif 000053
【図５２】
2020508703.tif 000054
【図５３】
2020508703.tif 000055
【図５４】
2020508703.tif 000056
【図５５】
2020508703.tif 000057
【図５６】
2020508703.tif 000058
【図５７】
2020508703.tif 000059
【図５８】
2020508703.tif 000060
【図５９】
2020508703.tif 000061
【図６０】
2020508703.tif 000062
【図６１】
2020508703.tif 000063
【図６２】
2020508703.tif 000064
【図６３】
2020508703.tif 000065
【図６４】
2020508703.tif 000066
【図６５】
2020508703.tif 000067
【図６６】
2020508703.tif 000068
【図６７】
2020508703.tif 000069
【図６８】
2020508703.tif 000070
【図６９】
2020508703.tif 000071
【図７０Ａ】
2020508703.tif 000072
【図７０Ｂ】
2020508703.tif 000073
【図７１】
2020508703.tif 000074
【図７２】
2020508703.tif 000075
【図７３】
2020508703.tif 000076
【図７４】
2020508703.tif 000077
【図７５】
2020508703.tif 000078
【図７６】
2020508703.tif 000079
【図７７】
2020508703.tif 000080
【図７８】
2020508703.tif 000081
【図７９】
2020508703.tif 000082
【図８０】
2020508703.tif 000083
【図８１】
2020508703.tif 000084
【図８２】
2020508703.tif 000085
【図８３】
2020508703.tif 000086
【国際調査報告】
2020508703.tif 000087
2020508703.tif 000088
2020508703.tif 000089